(57)【要約】      （修正有）【課題】無線通信システムにおけるビームフォーミングのための方法を提供する。【解決手段】ユーザ装置（ＵＥ）（例えば、携帯電話）は、ネットワークノードにＵＥビームスイーピング数を提供する。ＵＥビームスイーピング数に基づき、ネットワークノードは、コンフィギュレーション情報を提供するか、又はＵＥデバイスにリソースを割り当てる。ＵＥデバイスは、コンフィギュレーション情報又はリソースを測定のため利用可能である。ビームスイーピング数は、ＵＥビームのスイーピングと同様の方法で、ＵＥデバイスが送信を送信及び／又は受信する全ての可能な方向をカバーする時間間隔毎に１つのセットのＵＥビームの複数のセットを生成する必要がある時間間隔数を示す。【選択図】図１２
2018011295.tif 000002
【特許請求の範囲】
【請求項１】
ユーザ装置（ＵＥ）のための方法であって、
ネットワークノードにＵＥビームフォーミングに関する情報を提供するステップを有し、
前記情報は、ＵＥビームスイーピング数を含む方法。
【請求項２】
前記情報は、接続確立手順中に提供される、請求項１記載の方法。
【請求項３】
前記情報は、ランダムアクセス手順中に提供される、請求項１記載の方法。
【請求項４】
ＵＥビームスイーピングは、送信及び／又は受信のため全ての可能な方向をカバーするために、前記ＵＥがある時間間隔ではビームのサブセットを生成し、他の時間間隔では生成されたビームを変更することである、請求項１記載の方法。
【請求項５】
前記ＵＥビームスイーピング数は、前記ＵＥが送信及び／又は受信のため全ての可能な方向に１回ビームをスイーピングするのに必要な時間間隔数である、請求項１記載の方法。
【請求項６】
ネットワークノードのための方法であって、
ＵＥからＵＥビームフォーミングに関する情報を受信するステップであって、前記情報はＵＥビームスイーピング数を含む、受信するステップと、
前記ＵＥにリソースを割り当てるか、又はコンフィギュレーション情報を提供するステップであって、前記コンフィギュレーション情報又は前記リソースは、前記ＵＥから受信した情報に少なくとも基づき決定される、提供するステップと、
を有する方法。
【請求項７】
前記情報は、接続確立手順中に提供される、請求項６記載の方法。
【請求項８】
前記情報は、ランダムアクセス手順中に提供される、請求項６記載の方法。
【請求項９】
ＵＥビームスイーピングは、送信及び／又は受信のため全ての可能な方向をカバーするために、前記ＵＥがある時間間隔ではビームのサブセットを生成し、他の時間間隔では生成されたビームを変更することである、請求項６記載の方法。
【請求項１０】
前記ＵＥビームスイーピング数は、前記ＵＥが送信及び／又は受信のため全ての可能な方向に１回ビームをスイーピングするのに必要な時間間隔数である、請求項６記載の方法。
【請求項１１】
前記コンフィギュレーション情報又は前記リソースは、前記ＵＥが測定を実行するために提供される、請求項６記載の方法。
【請求項１２】
前記コンフィギュレーション情報又は前記リソースは、リファレンス信号に関する、請求項６記載の方法。
【請求項１３】
ユーザ装置（ＵＥ）であって、
制御回路と、
前記制御回路に設置されたプロセッサと、
前記制御回路に設置され、前記プロセッサに動作結合されたメモリと、
を有し、
前記プロセッサは、前記メモリに記憶されたプログラムコードを実行して、
ネットワークノードにＵＥビームフォーミングに関する情報を提供する処理を実行するよう構成され、
前記情報は、ＵＥビームスイーピング数を含むユーザ装置。
【請求項１４】
前記情報は、接続確立手順中に提供される、請求項１３記載の装置。
【請求項１５】
前記情報は、ランダムアクセス手順中に提供される、請求項１３記載の装置。
【請求項１６】
ＵＥビームスイーピングは、送信及び／又は受信のため全ての可能な方向をカバーするために、前記ＵＥがある時間間隔ではビームのサブセットを生成し、他の時間間隔では生成されたビームを変更することである、請求項１３記載の装置。
【請求項１７】
前記ＵＥビームスイーピング数は、前記ＵＥが送信及び／又は受信のため全ての可能な方向に１回ビームをスイーピングするのに必要な時間間隔数である、請求項１３記載の装置。
【請求項１８】
ユーザ装置（ＵＥ）であって、
制御回路と、
前記制御回路に設置されたプロセッサと、
前記制御回路に設置され、前記プロセッサに動作結合されたメモリと、
を有し、
前記プロセッサは、前記メモリに記憶されたプログラムコードを実行して、
ＵＥからＵＥビームフォーミングに関する情報を受信する処理であって、前記情報はＵＥビームスイーピング数を含む、受信する処理と、
前記ＵＥにリソースを割り当てるか、又はコンフィギュレーション情報を提供する処理であって、前記コンフィギュレーション情報又は前記リソースは、前記ＵＥから受信した情報に少なくとも基づき決定される、提供する処理と、
を実行するよう構成されるユーザ装置。
【請求項１９】
前記コンフィギュレーション情報又は前記リソースは、前記ＵＥが測定を実行するため提供され、及び／又はリファレンス信号に関する、請求項１８記載の装置。
【発明の詳細な説明】
【技術分野】
【０００１】
［関連出願の相互参照］
本出願は、参照することによってその全体がここに援用される、“ＭＥＴＨＯＤ  ＡＮＤ  ＡＰＰＡＲＡＴＵＳ  ＦＯＲ  ＵＥ  ＢＥＡＭＦＯＲＭＩＮＧ  ＩＮ  Ａ  ＷＩＲＥＬＥＳＳ  ＣＯＭＭＵＮＩＣＡＴＩＯＮ  ＳＹＳＴＥＭ”という名称の２０１６年６月２４日に出願された米国仮特許出願第６２／３５４，２８４号に対する優先権の利益を主張する。
［技術分野］
本開示は、無線通信に関し、より詳細にはセル（例えば、５Ｇセル）において動作するユーザ装置（ＵＥ）（例えば、携帯電話）によるＵＥビームフォーミング及びビームスイーピングに関する。
【背景技術】
【０００２】
第三世代パートナーシッププロジェクト（３ＧＰＰ）は、次世代のアクセス技術、すなわち、５Ｇのための技術コンポーネントを研究開発することを試みているグループである。３ＧＰＰは、２０１５年３月に５Ｇに対するそれの標準化活動を開始した。３ＧＰＰは、５Ｇのためのそれの提案、リファレンスアーキテクチャモデル及びスタディアイテムを記述したそれの会議録を定期的に公開している。例えば、３ＧＰＰは、複数のＴＲＰ（分散ユニット（ＤＵ）としてもまた参照される）を含み、ＴＲＰ間を移動するときのＵＥのイントラセルモビリティをサポートするシングルセルアーキテクチャを想定する。このアーキテクチャは、ここに開示される発明が解決策を提供する多数のチャレンジを提供する。
【発明の概要】
【０００３】
以下は、明細書のいくつかの態様の基本的理解を提供するため、明細書の簡単化された概要を提供する。この概要は、明細書の包括的な概略でない。それは、明細書の主要な又は重要な要素を特定したり、明細書の何れかの実施例に特有の何れかの範囲若しくは請求項の何れかの範囲を画定することを意図するものでない。それの唯一の目的は、以降に提供される更なる詳細な説明に対する前置きとして簡単化された形式で明細書のいくつかのコンセプトを提供することである。
【０００４】
ここに用いられるように、以下の用語は、それぞれの略語により参照可能である。第三世代パートナーシッププロジェクト（３ＧＰＰ）、第五世代（５Ｇ）、ビーム固有リファレンス信号（ＢＲＳ）、基地局（ＢＳ）、クラウドＲＡＮ（Ｃ−ＲＡＮ）、接続状態（ＣＯＮＮ）、チャネル状態情報（ＣＳＩ）、クローズド加入者グループ（ＣＳＧ）、中央ユニット（ＣＵ）、ダウンリンク（ＤＬ）、分散ユニット（ＤＵ）、進化型ノードＢ（ｅＮＢ又はｅＮｏｄｅＢ）、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）、周波数分割複信（ＦＤＤ）、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））、ロングタームエボリューション（ＬＴＥ）、媒体アクセス制御（ＭＡＣ）、ＭＢＳＦＮ（Ｍｕｌｔｉｃａｓｔ−Ｂｒｏａｄｃａｓｔ  Ｓｉｎｇｌｅ−Ｆｒｅｑｕｅｎｃｙ  Ｎｅｔｗｏｒｋ）、Ｍｕｌｔｉｐｌｅ  Ｉｎｐｕｔ，Ｍｕｌｔｉｐｌｅ  Ｏｕｔｐｕｔ（ＭＩＭＯ）、ネットワークファンクション仮想化（ＮＦＶ）、Ｎｅｗ  ＲＡＴ（ＮＲ）、ネットワーク（ＮＷ）、物理（ＰＨＹ）、パブリックランドモバイルネットワーク（ＰＬＭＮ）、無線アクセス技術（ＲＡＴ）、無線周波数（ＲＦ）、無線リソース制御（ＲＲＣ）、リファレンス信号受信電力（ＲＳＲＰ）、リファレンス信号受信品質（ＲＳＲＱ）、受信（Ｒｘ）、信号対干渉雑音比（ＳＩＮＲ）、トラッキングエリア（ＴＡ）、トラッキングエリアコード（ＴＡＣ）、トラッキングエリアアイデンティティ（ＴＡＩ）、送受信ポイント（ＴＲＰ）、ＴＲＰグループ（ＴＲＰＧ）、技術仕様書（ＴＳ）、送信（Ｔｘ）、ユーザ装置（ＵＥ）（ＵＥデバイスとしてもまた参照される）及びＵｎｉｖｅｒｓａｌ  Ｔｅｒｒｅｓｔｒｉａｌ  Ｒａｄｉｏ  Ａｃｃｅｓｓ（ＵＴＲＡ）。
【０００５】
様々な非限定的な実施例では、例えば、開示される主題は、ＵＥデバイスがネットワークのネットワークノードにＵＥビームフォーミングに関する情報を提供するユーザ装置（ＵＥ）デバイスのための方法を提供する。当該情報は、ＵＥビームスイーピング数を含む。
【０００６】
更なる非限定的な例では、ＵＥビームスイーピング数に基づき、ネットワークノードは、ＵＥデバイスにコンフィギュレーション情報を提供する。
【０００７】
更なる非限定的な例では、ＵＥビームスイーピング数に基づき、ネットワークノードは、ＵＥデバイスにリソース割当てを提供する。
【０００８】
更なる非限定的な例では、ＵＥデバイスは、接続確立手順中にネットワークノードにＵＥビームフォーミングに関する情報を提供する。
【０００９】
更なる非限定的な例では、ＵＥデバイスは、ランダムアクセス手順中にネットワークノードにＵＥビームフォーミングに関する情報を提供する。
【００１０】
更なる非限定的な例では、コンフィギュレーション情報又はリソース割当ては、ＵＥデバイスが測定を実行するために提供される。
【００１１】
更なる非限定的な例では、コンフィギュレーション情報又はリソース割当ては、例えば、ビーム固有リファレンス信号（ＢＲＳ）などのリファレンス信号に関する。
【００１２】
更なる非限定的な例では、ＵＥビームスイーピングは、送信及び／又は受信のため全ての可能な方向をカバーするために、ＵＥがある時間間隔ではビームのサブセットを生成し、他の時間間隔では当該サブセットから生成されたビームの異なるサブセットに変更することに関する。
【００１３】
更なる非限定的な例では、ＵＥビームスイーピング数は、ＵＥデバイスが送信及び／又は受信のため全ての可能な方向に１回ビームをスイーピングするのに必要な時間間隔数である。
【００１４】
さらに、更なる例示的な実現形態は、ＵＥビームフォーミングの効率的な利用を実現するシステム、デバイス及び／又は他の製造物に関する。
【００１５】
開示された主題の上記及び他の特徴は、以下において更に詳細に説明される。
【図面の簡単な説明】
【００１６】
開示される主題のデバイス、コンポーネント、システム及び方法が更に、添付した図面を参照して説明される。
【図１】図１は、各ＴＲＰが、例えば、ビームスイーピングの一部として複数のナロービームを生成している５Ｇにおけるビームコンセプトを示す。
【図２】図２は、３ＧＰＰが、例えば、ＬＴＥ及び集中ベースバンドアーキテクチャと共置されたスタンドアローンを含むＮＲによるサポートを所望する一例となる無線ネットワークアーキテクチャを示す。
【図３】図３は、３ＧＰＰが、例えば、低いパフォーマンスのトランスポート及び共有ＲＡＮとの中央化を含むＮＲによるサポートを所望する更なる一例となる無線ネットワークアーキテクチャを示す。
【図４】図４は、単一のＴＲＰを有するセルの配置のための各種の一例となる配置シナリオを示す。
【図５】図５は、複数のＴＲＰを有するセルの配置のための各種の一例となる配置シナリオを示す。
【図６】図６は、一例となる５Ｇセルを示す。
【図７】図７は、一例となる４Ｇセルと一例となる５Ｇセルとの間のサイドバイサイドの比較を示す。
【図８】図８は、ビームフォーミングによるゲイン補償を実現する一例となる高周波数ＨＦ−ＮＲシステムを示す。
【図９】図９は、ビームフォーミングによる弱められた干渉を実現する一例となるＨＦ−ＮＲシステムを示す。
【図１０】図１０は、ネットワークへのイニシャルアクセスを実行するためにＵＥデバイスにより利用される一例となる方法を示す。
【図１１（ａ）】図１１（ａ）は、ネットワークがＵＥデバイスのビームスイーピング数に依存しないＢＲＳ送信の具体例を示す。
【図１１（ｂ）】図１１（ｂ）は、ネットワークがＵＥデバイスのビームスイーピング数を認識しているＢＲＳ送信の具体例を示す。
【図１２】図１２は、ＵＥデバイスからネットワークへのＵＥビームフォーミングに関連する情報を提供する一例となる方法を示す。
【図１３】図１３は、ＵＥデバイスからネットワークへのＵＥビームフォーミングに関連する情報を提供する他の一例となる方法を示す。
【図１４】図１４は、ネットワークへのイニシャルアクセスを実行するためにＵＥデバイスにより利用される一例となる方法を示す。
【図１５】図１５は、同時ＵＬ送信及び同時ＤＬ送信に関する各種実施例が実現可能な一例となるマルチアクセス無線通信システムを示す。
【図１６】図１６は、ここに説明される各種ネットワーク、ＴＲＰ及びＵＥに関する各種態様を援用するのに適した送信システム（ここでは、アクセスネットワークとしても参照される）及び受信システム（ここでは、アクセス端末（ＡＴ）又はユーザ装置（ＵＥ）としても参照される）の一例となる実施例を示す一例となるＭＩＭＯシステムの簡単化されたブロック図を示す。
【図１７】図１７は、開示された主題の各種態様を実行するのに適した一例となる非限定的なデバイス又はシステムを示す。
【図１８】図１８は、本開示の各種態様を援用するのに適した一例となる非限定的な通信デバイスの簡単化された機能ブロック図を示す。
【図１９】図１９は、本開示の各種態様を援用するのに適した図１０〜１３に示される一例となるプログラムコードの簡単化されたブロック図を示す。
【図２０】図２０は、ここに説明される実施例による開示された主題の各種の非限定的な態様を実現可能な一例となるモバイルデバイス（例えば、モバイルハンドセット、ユーザデバイス、ユーザ装置又はアクセス端末）の概略図を示す。
【発明を実施するための形態】
【００１７】
５Ｇ技術は、以下の３つの利用シナリオのファミリをサポートし、具体的には、ＩＴＵ−Ｒ  ＩＭＴ−２０２０の（ｉ）ｅＭＢＢ（ｅｎｈａｎｃｅｄ  Ｍｏｂｉｌｅ  Ｂｒｏａｄｂａｎｄ）、（ｉｉ）ｍＭＴＣ（ｍａｓｓｉｖｅ  Ｍａｃｈｉｎｅ  Ｔｙｐｅ  Ｃｏｍｍｕｎｉｃａｔｉｏｎｓ）及び（ｉｉｉ）ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ）によって提供される至急の市場ニーズとより長期の要求との双方を充足することを目的とする。新たな無線アクセス技術に関する３ＧＰＰの５Ｇスタディの課題は、低周波数から少なくとも１００ＧＨｚまでの範囲の何れかのスペクトル帯において動作可能な新たな無線システムのための技術コンポーネントを特定及び開発することである。しかしながら、高い搬送周波数（例えば、１００ＧＨｚまで）をサポートすることを試みる無線システムは、無線伝搬のエリアにおける多数の困難に遭遇する。例えば、増加する搬送周波数によって、パスロスがまた増加するであろう。
【００１８】
Ｒ２−１６２３６６（３ＧＰＰ  ＴＳＧ−ＲＡＮ  ＷＧ２  Ｍｅｅｔｉｎｇ＃９３ｂｉｓ）によると、より低い周波数帯域（例えば、現在のロングタームエボリューション（ＬＴＥ）帯域＜６ＧＨｚ）では、必要とされるセルカバレッジは、ダウンリンク共通チャネルを送信するためのワイドセクタビームを形成することによって提供される。しかしながら、より高い周波数（＞＞６ＧＨｚ）でのワイドセクタビームを利用することは、セルカバレッジが同じアンテナ利得のために低減されるという点で問題がある。従って、より高い周波数帯域で必要とされるセルカバレッジを提供するため、より高いアンテナ利得が、増加したパスロスを補償するため必要とされる。ワイドセクタビームにわたってアンテナ利得を増加させるため、アンテナ素子の数が数十から数百に及ぶより大きなアンテナアレイが、高利得ビームを形成するのに利用される。結果として、高利得ビームは、典型的なワイドセクタビームよりも狭く形成され、このため、複数の高利得ビームが、必要とされるセルエリアをカバーするためにダウンリンク共通チャネルを送信するのに必要とされる。アクセスポイントが形成できる同時高利得ビームの数は、使用される送受信アーキテクチャのコスト及び複雑さによって制限される。実際には、より高い周波数に対して、同時高利得ビームの数は、セルエリアをカバーするのに必要とされるビームの総数よりもはるかに少ない。言い換えれば、アクセスポイントは、何れか所与の時間にビームのサブセットを使用することによって、セルエリアの一部のみをカバーすることができる。
【００１９】
Ｒ２−１６３７１６（３ＧＰＰ  ＴＳＧ−ＲＡＮ  ＷＧ２  Ｍｅｅｔｉｎｇ＃９４）によると、ビームフォーミングは、指向性信号の送受信のためにアンテナアレイで使用される信号処理技術である。ビームフォーミングでは、ビームは、特定の角度の信号が強め合う干渉を受け、他のものが弱め合う干渉を受けるように、アンテナのフェーズドアンテナアレイにおける要素を組み合わせることによって形成される。異なるビームが、複数のアンテナアレイを用いることによって同時に形成される。Ｒ２−１６２７０９（３ＧＰＰ  ＴＳＧ  ＲＡＮ  ＷＧ２  Ｍｅｅｔｉｎｇ＃９３ｂｉｓ）によると、図１に示されるように、５Ｇセル１００は、集中化又は分散化可能である複数の送信／受信ポイント（ＴＲＰ）１２０，１２４及び１２８に通信可能に結合された進化型ノードＢ（ｅＮＢ）１１０を含む。各ＴＲＰ１２０，１２４又は１２８は、複数のビームを形成することができる。ＵＥデバイスのサービングビームは、例えば、送信及び／又は受信のため、ＵＥデバイスと通信するのに利用されるネットワークのＴＲＰによって、ネットワークによって生成されるビームである。ＴＲＰ１２０，１２４又は１２８によって形成されるビームの数及び時間／周波数領域における同時ビームの数は、ＴＲＰ１２０，１２４又は１２８によって利用されるアンテナアレイ素子の数と無線周波数ＲＦとに依存する。
【００２０】
新しい無線アクセス技術（ＮＲ）の潜在的なモビリティタイプは、イントラＴＲＰモビリティ、インターＴＲＰモビリティ及びインターＮＲ  ｅＮＢモビリティを含む。Ｒ２−１６２７６２（ＴＳＧ  ＲＡＮ  ＷＧ２  Ｍｅｅｔｉｎｇ＃９３ｂｉｓ）によると、純粋にビームフォーミングに依存し、より高い周波数で動作するシステムの信頼性は、困難がある。このようなシステムのカバレッジは、時間と空間の両方の変動に対してより敏感であるという理由がある。結果として、そのリンク（ＬＴＥよりも狭い）の信号対干渉雑音比（ＳＩＮＲ）は、ＬＴＥの場合よりもはるかに急速に低下する可能性がある。
【００２１】
５Ｇシステムでは、アクセスノードにおける数百の要素を有するアンテナアレイを使用することによって、ノード当たりのサービングビームのための数十又は数百の候補を有するかなり規則的なグリッドオブビームカバレッジパターンが生成可能である。しかしながら、このようなアレイからの個々のサービングビームのカバレッジエリアは、数十メートルのオーダの幅まで小さくなる。結果として、現在使用中のサービングビームのエリア外のチャネル品質の劣化は、ワイドエリアカバレッジの場合（例えば、ＬＴＥによって提供されるような）よりも急速に起こる。
【００２２】
Ｒ３−１６０９４７（３ＧＰＰ  ＴＲ  ３８．８０１  Ｖ０．１．０（２０１６−０４））によると、図２及び３に示されるシナリオは、３ＧＰＰがＮＲでサポートすることを所望する一例となる無線ネットワークアーキテクチャを示す。図２は、３つの例示的なネットワークアーキテクチャ２１０，２３０及び２５０を示す。ネットワークアーキテクチャ２１０において、コアネットワーク２１２は、２つのＮＲ基地局２１４及び２１６に通信可能に結合されて示される。
【００２３】
ネットワークアーキテクチャ２３０において、コアネットワーク２３２はサイトＡ２３４及びサイトＢ２３６に通信可能に結合され、これらのサイトはＮＲ及びＬＴＥ機能の両方をサポートする。ネットワークアーキテクチャ２５０では、コアネットワーク２５２は、アーキテクチャ２５２の中央ユニットとして機能し、集中型無線アクセスネットワーク（ＲＡＮ）処理を実行する中央ベースバンドユニット２５４に通信可能に結合される。中央ベースバンドユニット２５４は、次に、高性能トランスポートリンクを介してＮＲ基地局２５６，２５８及び２６０の下位レイヤに通信可能に結合される。
【００２４】
図３は、３ＧＰＰがＮＲでサポートすることを所望する更に２つの例示的な無線ネットワークアーキテクチャ３１０及び３４０を示す。アーキテクチャ３１０では、コアネットワーク３１２は、ＮＲ基地局の上位レイヤを含む中央ユニット３１４に通信可能に結合される。次に、中央ユニット３１４は、低性能トランスポートリンクを介しＮＲ基地局３１６，３１８及び３２０の下位レイヤに通信可能に結合されている。アーキテクチャ３４０では、各コアネットワークオペレータ３４２，３４４及び３４６は、ＮＲ基地局３４８及び３５０の両方に通信可能に結合される。
【００２５】
Ｒ２−１６４３０６（３ＧＰＰ  ＴＳＧ−ＲＡＮ  ＷＧ２  ＃９４）によると、３ＧＰＰは、マクロセル、ヘテロジーニアスセル及びスモールセルにおけるスタンドアローンＮＲのセルレイアウトの配置を研究することを所望する。２０１６年５月２３〜２６日の会合の３ＧＰＰ  ＴＳＧ−ＲＡＮ  ＷＧ２  ＃９４の議事録によると、１つのＮＲ  ｅＮＢが１つ以上のＴＲＰに対応する。典型的には、ネットワーク制御モビリティに２つのレベルを伴う。一方のレベルでは、モビリティ制御は、セルレベルにおけるＲＲＣによって駆動される。他方のレベルでは、ＲＲＣによる（例えば、ＭＡＣ／ＰＨＹレイヤにおいて）ゼロ又は最小限の関与しかない。Ｒ２−１６２２１０（３ＧＰＰ  ＴＳＧ−ＲＡＮ  ＷＧ２  Ｍｅｔｔｉｎｇ＃９３ｂｉｓ）によると、３ＧＰＰは、ＮＲにおける２レベルのモビリティ処理の原則を維持することを所望する。一方のレベルはセルレベルモビリティを含み、他方のレベルはビームレベルモビリティ管理を含む。セルレベルモビリティに関して、セル選択又は再選択は、ＵＥ（又はモバイルデバイス）がＩＤＬＥ状態にあるときに行われ、ハンドオーバは、ＵＥ又はモバイルデバイスが接続（ＣＯＮＮ）状態にあるときに行われる。モビリティ制御は、ＣＯＮＮ状態においてＲＲＣによって駆動される。ビームレベル管理に関して、レイヤ１（Ｌ１又は物理レイヤ）は、ＵＥ（又はモバイルデバイス）によって使用されるＴＲＰの適切な選択を処理し、また最適なビーム方向も処理する。
【００２６】
５Ｇシステムは、従来のハンドオーバベースのＵＥモビリティに依拠することに加えて、ＵＥのモビリティを処理するために“ビームベースモビリティ”に大きく依拠することが期待される。ＭＩＭＯ、フロントホーリング、Ｃ−ＲＡＮ及びＮＦＶなどの技術は、単一の５Ｇノードによって制御されるカバレッジエリアが拡大することを可能にし、ビームレベル管理の可能性のあるアプリケーションを増やし、セルレベルのモビリティの必要性を低減します。１つの５Ｇノードのカバレッジエリア内の全てのモビリティは、ビームレベル管理に基づき処理可能である。このシナリオでは、ハンドオーバは、１つの５Ｇノードのカバレッジエリアから別の５ＧノードのカバレッジエリアまでのＵＥモビリティの場合にのみ行われる。
【００２７】
図４，５，６及び７は、５Ｇ  ＮＲにおけるセル設計のいくつかの具体例を示す。図４は、単一ＴＲＰセルによる一例となる配置を示す。配置４００は、単一のＴＲＰを有する多数のセルを含み、例えば、セル４１０はＴＲＰ４１２を含み、セル４２０はＴＲＰ４２２を含む。いくつかのセルは一緒にクラスタ化され、他のセルは孤立される。図５は、複数のＴＲＰセルによる一例となる配置を示す。配置５００は、複数のＴＲＰ５１２，５１４及び５１６を有するセル５１０を含む。配置５００はまた、ＴＲＯ５２２，５２４を有するセル５２０を含む。図６は、５Ｇノード６３０及び複数のＴＲＰ６１２，６１４及び６１６を含む１つの５Ｇセル６１０を有する一例となる配置６００を示す。図７は、ＬＴＥセル７１０と５Ｇ  ＮＲセル７５０との間の比較を示す。ＬＴＥセル７１０は、複数のセル７１４，７１６に通信可能に結合されるｅＮＢ７１２を含む。セル７１４はＴＲＰ７２０を含むよう示され、セル７１６はＴＲＰ７２２を含むよう示される。ＮＲセル７５０は、単一セル７５６に通信可能に結合される集中ユニット７５２を含む。単一セル７５６は、複数の分散ユニット（ＤＵ）７６２，７６４を含む。無線リサーチ管理（ＲＲＭ）測定に基づくハンドオーバを実行するのとは別に、３ＧＰＰは、５Ｇ  ＵＥがビーム品質の変動及び／又はＵＥイントラセルモビリティの場合であっても５Ｇ接続を維持するため、サービングビームを適合可能であるべきであることを所望する。しかしながら、これを行うために、５Ｇ  Ｎｏｄｅ−Ｂ及びＵＥは、サービングビームを適切に追跡及び変更することができなければならない（以降、ビームトラッキングとして参照されると）。
【００２８】
いくつかの用語及び仮定は、以下において特定され、以降において使用されてもよい。本開示において使用される基地局（ＢＳ）という用語は、１つ以上のセルに関連する１つ以上のＴＲＰを制御するのに使用されるＮＲにおけるネットワーク中央ユニットを指す。ＢＳとＴＲとの間の通信は、フロントホール接続を介し実行可能である。ＢＳはまた、中央ユニット（ＣＵ）、ｅＮＢ又はＮｏｄｅＢとして参照可能である。ここで使用されるＴＲＰは、ネットワークカバレッジを提供し、ＵＥと直接通信する送受信ポイントである。ＴＲＰはまた、分散ユニット（ＤＵ）として参照可能である。ここで使用されるセルは、１つ以上の関連するＴＲＰから構成され、すなわち、セルのカバレッジは、セルに関連する全ての個々のＴＲＰのカバレッジのスーパーセットである。１つのセルは１つのＢＳによって制御される。セルはまた、ＴＲＰグループ（ＴＲＰＧ）として参照可能である。ビームスイーピングは、送信及び／又は受信のための全ての可能な方向をカバーするのに使用される。ビームスイーピングのため、多数のビームが必要とされる。これら全てのビームを同時に生成することは不可能であるので、ビームスイーピングは、ある時間間隔でこれらのビームのサブセットを生成し、他の時間間隔で異なるビームのサブセットを生成することを意味する。言い換えれば、ビームスイーピングとは、可能な全ての方向がいくつかの時間間隔の後にカバーされるように、時間領域においてビームを変更することを意味する。ビームスイーピング数は、送信及び／又は受信のために一度に可能な全ての方向にビームをスイーピングするのに必要な時間間隔の必要数を指す。ビームスイーピングに関連する制御／命令シグナリングは、“ビームスイーピング数”を含む。ビームスイーピング数は、所望の領域をカバーするために様々な異なるビームのサブセットを生成される必要がある所定の時間期間中の回数を示す。
【００２９】
ネットワーク側では、ビームフォーミングを使用するＮＲはスタンドアローンとすることが可能であり、これは、ＵＥが直接ＮＲ上に在圏又は接続できることを意味する。また、ビームフォーミングを用いるＮＲとビームフォーミングを使用しないＮＲとが、例えば、異なるセルにおいて共存できる。ＴＲＰは、可能であって有用である場合、データ及び制御シグナリングの送受信の両方にビームフォーミングを適用することができる。ＴＲＰによって同時に生成されるビームの数は、ＴＲＰの能力に依存する。例えば、同じセルにおける異なるＴＲＰによって同時に生成されるビームの最大数は同じであってもよく、異なるセルにおけるものは異なってもよい。ビームスイーピングが、例えば、全ての方向に提供される制御シグナリングに対して必要である。様々な実施例では、同じセルにおけるＴＲＰのダウンリンクタイミングが同期される。ネットワーク側のＲＲＣレイヤは、ＢＳに配置される。ＴＲＰは、ＵＥビームフォーミングを有するＵＥとＵＥビームフォーミングを有さないＵＥの両方をサポートすべきであり、これは、ＴＲＰが異なる能力のＵＥをサポートし、異なるＵＥリリースに基づくＵＥ設計をサポートすべきであることを意味する。
【００３０】
ＵＥ側では、可能であって有用である場合、ＵＥは、受信及び／又は送信にビームフォーミングを実行してもよい。ＵＥによって同時に生成されるビームの数は、例えば、ＵＥに対して複数のビームを生成することが可能であるか否かに応じて、ＵＥの能力に依存する。ＵＥによって生成されるビームは、典型的には、ｅＮＢによって生成されるビームよりも広い。送信及び／又は受信のためのビームスイーピングは、一般に、ユーザデータにとっては必要ではないが、例えば、測定を実行するため、他のシグナリングのために必要であり得る。全てのＵＥが、例えば、ＵＥ能力のため、又はＵＥビームフォーミングがＮＲの最初のいくつかのリソースによってはサポートされなかったため、ＵＥビームフォーミングをサポートしているとは限らないことが理解されるべきである。あるＵＥは、同一のセルの１つ以上のＴＲＰからの複数のビームによってサービス提供可能である。同一又は異なるＤＬデータが、ダイバーシチ又はスループットゲインのため異なるサービングビームを介し同じ無線リソースで送信可能である。接続状態（又はアクティブ状態と呼ばれる）と非接続状態（又は非アクティブ状態又はアイドル状態と呼ばれる）の少なくとも２つのＵＥ（ＲＲＣ）状態がある。
【００３１】
本開示の一態様によると、ＵＥデバイスの電源がオンになった後、ＵＥは在圏すべきセルを見つける必要がある。セルに在圏した後、ＵＥデバイスは、登録及び／又はデータ送信の目的のため、自らとネットワークとの間の接続の確立を開始することができる。別の実施例では、ネットワークは、ページングを介してＵＥデバイスに、ネットワークとの接続確立を開始するように要求する。本実施例では、ネットワークは、例えば、ネットワークがＤＬデータをＵＥデバイスに送信することを所望するため、接続を確立するようにＵＥデバイスに要求してもよい。
【００３２】
図１０，１４は、ＵＥデバイスがネットワークへの初期アクセスを行う／試みる一例となる方法を示す。図１０を参照して、フロー図１０００のステップ１００２において、ＵＥデバイスは、それが在圏可能なセルを検索する。このステップは、例えば、ＵＥデバイスの電源がオンになったときに起こり得る。在圏すべきセルを見つけるために、ＵＥデバイスは可能なキャリア周波数をスキャンすることができる。セルは、例えば、同期シグナリングなど、ＵＥデバイスがセルを識別するためのシグナリングを提供する。セルは、ビームスイーピングによってシグナリングを提供することができる。同じセルの異なるＴＲＰは、同じ時間間隔の間に同じタイプのシグナリングを提供することができる。ステップ１００４において、ＵＥデバイスは、セルによってブロードキャストされたシステム情報の取得を実行する。具体的には、ＵＥデバイスは、例えば、セル選択に関連する必要なパラメータをブロードキャストされたシステム情報から取得する。ブロードキャストされたシステム情報は、ビームスイーピングによってセルによって提供することができる。システム情報は、セルのＢＳによってＴＲＰに提供することができる。ＴＲＰは、次にシステム情報をＵＥデバイスにブロードキャストすることができる。
【００３３】
ステップ１００６において、ＵＥデバイスは、セル測定及び選択を実行する。具体的には、ＵＥは、在圏可能なセルを見つけた後、セルの無線状態を測定し、測定された結果に基づき当該セルに在圏するか判断する。セルは、ビームスイーピングによって、測定のためのシグナリング、例えば、リファレンスシグナリングを提供する。同じセルの異なるＴＲＰは、同じ時間間隔の間に同時にシグナリングを提供することができる。ステップ１００８において、ネットワークはＵＥデバイスをページングする。これは任意的なステップであり、ネットワークがＵＥ固有のシグナリング／データをＵＥに送信することを所望し、ＵＥが非接続状態であるとき、ページングが開始されてもよい。ＵＥがページングを受信すると、ＵＥは、ネットワークとの接続確立を開始して接続状態に入り、ネットワークからＵＥ固有のシグナリング／データをさらに受信することができる。セルはビームスイーピングによってページングを実行する。ページングは、ＢＳから命令を受信すると、ＴＲＰによって実行することができる。
【００３４】
ステップ１０１０において、ＵＥデバイスとネットワークとの間の接続がかくりつされる。具体的には、ＵＥは、接続確立手順を開始ＢＳとの接続を確立する。一実施例では、確立手順中、ＵＥデバイスは、ＵＥデバイスの存在を認識するようネットワークに通知するため、ランダムアクセス手順を実行する。ランダムアクセス手順は、データ伝送を開始するため、ＵＥデバイスによって利用される。ＵＥは、イニシャルハンドシェイク（又はプリアンブル）からアップリンクタイミング情報を取得する。次に、ネットワークは、ＵＬ送信のためのリソースをＵＥデバイスに提供する。接続が確立された後、ＵＥデバイスは接続状態に入る。
【００３５】
図１４は、図１０と同様の方法を示し、ネットワーク側におけるＴＲＰとＢＳとの間の関係を示す。フロー図１４００のステップ１４０２において、ＵＥデバイスは、ＴＲＰとやりとりし、それが在圏可能なセルをサーチする。当該ステップは、例えば、ＵＥデバイスが電源オンしたときに行うことができる。在圏すべきセルを見つけるため、ＵＥデバイスは可能なキャリア周波数をスキャンできる。セルは、例えば、同期シグナリングなど、ＵＥデバイスがセルを識別するためのシグナリングを提供する。セルは、ビームスイーピングによってシグナリングを提供できる。同じセルの異なるＴＲＰは、同じ時間間隔中に同じタイプのシグナリングを提供できる。ステップ１４０４において、ＵＥデバイスは、セルによってブロードキャストされるシステム情報の取得を実行する。具体的には、ＵＥデバイスは、ブロードキャストされたシステム情報から、例えば、セル選択に関する必要なパラメータを取得する。ブロードキャストされたシステム情報は、ビームスイーピングによってセルにより提供できる。システム情報は、セルのＢＳによってＴＲＰに提供できる。次に、ＴＲＰは、システム情報をＵＥデバイスにブロードキャストできる。
【００３６】
ステップ１４０６において、ＵＥデバイスは、ＴＲＰとのインタラクションによってセル測定を実行し、その後、セル選択を実行する。具体的には、ＵＥが在圏可能なセルを検出した後、ＵＥは、セルの無線状態を測定し、測定された結果に基づきセルに在圏するか判断する。セルは、例えば、ビームスイーピングによる測定用のリファレンス信号などのシグナリングを提供する。同じセルの異なるＴＲＰは、同じ時間間隔中にシグナリングを同時に提供できる。ステップ１４０８において、ネットワークはＵＥデバイスをページングする。これは任意的なステップであり、ネットワークがＵＥ固有のシグナリング／データをＵＥに送信することを所望し、ＵＥが非接続状態であるとき、ページングが開始されてもよい。ＵＥがページングを受信すると、ＵＥは、接続状態に入るため、ネットワークとの接続確立を開始し、ネットワークからＵＥ固有のシグナリング／データを更に受信できる。セルは、ビームスイーピングによってページングを実行する。ページングは、ＢＳから命令を受信すると、ＴＲＰによって実行可能である。
【００３７】
ステップ１４１０において、ＵＥデバイスとネットワークとの間の接続が確立される。具体的には、ＵＥは、接続確立手順を介しＢＳとの接続を確立する。一実施例では、確立手順の間に、ＵＥデバイスはランダムアクセス手順を実行して、ＵＥデバイスの存在を認識するようネットワークに通知する。ランダムアクセス手順は、ＵＥデバイスによってデータ伝送を開始するために利用される。ＵＥは、初期的なハンドシェイク（又はプリアンブル）からアップリンクタイミング情報を取得する。次に、ネットワークは、ＵＥデバイスにＵＬ送信のためのリソースを提供する。接続が確立された後、ＵＥデバイスは接続状態に入る。
【００３８】
本開示の態様によると、ＵＥは、セルに在圏した後、UEは、非接続状態（又はアイドルモード）にあるとき、セルの異なるビーム又は異なるＴＲＰの間を移動することができる。あるいは、ＵＥは、セルのカバレッジを離れ、異なるセルのカバレッジに移動することができる。非接続状態のＵＥのモビリティは、ＵＥビーム変更、サービングビーム変更又はセル再選択を生じさせうる。ＵＥビームフォーミングが利用される場合、ＵＥビーム変更は、例えば、ＵＥデバイスの回転のために起こり得る。これは、ＵＥが非接続状態にあるときに起こり得る。このシナリオでは、ＵＥは、ＵＥビーム変化のため何れかの信号の欠落／無視を回避するため、ビームスイーピングを実行し続ける必要があり得る。
【００３９】
サービングビーム変更に関して、サービングビーム変更又はサービングＴＲＰ変更は、同じセルのサービングビーム又はＴＲＰの間で発生しうる。ＵＥは、在圏したセルに関して、シグナリングがＵＥによって受信可能なＴＲＰによってサービス提供される。サービングＴＲＰのサービングビームは、ＵＥのモビリティのために変化し得る。サービングＴＲＰはまた、ＵＥが在圏するセル内を移動するときに変更可能である。このシナリオでは、ＵＥは、ネットワークからの何れかのシグナリングの欠落を回避するため、非接続状態のＵＥに必要なシグナリングを提供しているサービングＴＲＰの異なるビームの全ての可能な時間間隔中に必要なシグナリングを監視し続ける必要がありうる。
【００４０】
セル再選択に関して、ＵＥは、典型的には、ＵＥが在圏しているサービングセル上で連続的又は半連続的に測定を実行するか、あるいは、その隣接セルについて測定を連続的又は半連続的に実行し、サービングセルを再選択するかどうか評価する。当該評価は、セルの様々な属性、特性、強度及び品質の評価を含みうる。ＵＥは、隣接セルのシステム情報を取得し、隣接セルがより最適であるとＵＥが判断した場合、新たなサービングセルとしてその隣接セルを再選択することができる。このタスクを実行するために、ＵＥデバイスは、ネットワークからのセルの評価のためのパラメータを必要とする。
【００４１】
Ｒ２−１６２２５１（３ＧＰＰ  ＴＳＧ−ＲＡＮ  ＷＧ２  Ｍｅｅｔｉｎｇ＃９２ｂｉｓ）によると、ビームフォーミングがｅＮＢとＵＥとの双方の側に対して実行可能である。図８は、高周波（ＨＦ）ＮＲシステムにおけるビームフォーミングによる利得補償の概念を示す。一例となるセル８００では、ビームフォーミングはｅＮＢ８１０及びＵＥ８２０の双方によって実行される。１つの実例では、３ＧＰＰは、ｅＮＢ８１０におけるビームフォーミングアンテナ利得が約１５〜３０ｄＢｉであり、ＵＥ８２０における予想されるビームフォーミングアンテナ利得は約３〜２０ｄＢｉである。
【００４２】
ＳＩＮＲの観点から、図９は、ビームフォーミングのため干渉が弱められるセル９００を示す。シャープなビームフォーミングは、例えば、ダウンリンク動作の間、隣接する干渉源ｅＮＢ  Ａ９３０及びｅＮＢ  Ｂ９４０からサービングｅＮＢ９１０における干渉電力を低減する。隣接するｅＮＢ９３０，９４０に接続されるＵＥからの干渉電力はまた、ビームフォーミングのため低減される。ＴＸビームフォーミングの場合、有効な干渉は、現在のビームもまたＲＸの方向に向けられている他のＴＸによってのみ引き起こされることが理解及び認識されるべきである。有効干渉とは、干渉電力が有効なおノイズ電力よりも高いことを意味する。ＲＸビームフォーミングの場合、有効な干渉は、そのビームがＵＥ９５０の現在のＲＸビーム方向と同じ方向に向けられている他のＴＸによってのみ引き起こされる。
【００４３】
ＵＥが接続状態に入るとき、ＵＥビームフォーミング及び／又はＵＥビームスイーピングは、例えば、ランダムアクセス手順、無線リソース割当て／確保、スケジューリング、測定などの処理など、各種態様と、特にＵＥデバイスとネットワークとの間で行われるインタラクションとに対して影響を有しうる。例えば、ＢＲＳなどのＤＬリファレンス信号がビームトラッキングのために利用される。具体的には、ＵＥデバイスは、異なるタイミング／時間間隔において異なるビーム上でネットワークによって送信されるＤＬリファレンス信号を監視することを介して、適切なＤＬビーム及び／又はＵＬビームを決定／選択してもよい。ネットワーク及びＵＥデバイスは、ＤＬリファレンス信号を生成及び監視するため、リソース及び電力を拡大する必要があり、従って、ＵＥデバイスとネットワークとは同期し、リファレンス信号の監視及び生成に関して効率的となり、リソース及び電力の不要な拡大を避けることが有用である。
【００４４】
図１１（ａ）及び１１（ｂ）は、ＢＲＳ信号の送信の２つの例を示す。図１１（ａ）を参照して、ネットワークがトラッキング期間１１０２中にＢＲＳ信号の４つのバースト（１１０４，１１０６，１１０８，１１１０）を生成するシナリオ１１１０が示される。このシナリオ１１１０では、ＢＲＳ信号は、本例ではたまたま２であるＵＥビームのビームスイーピング数に依存しない。２のＵＥのビームスイーピング数はネットワークに知られていないことを意味する。このような一例となるシナリオ１１１０では、ネットワークは、典型的には、ＵＥデバイスのビームスイーピング数に関して想定される値又はデフォルト値に対して動作する。シナリオ１１１０では、ネットワークは、ＵＥのビームスイーピング数が４であることを想定していた。この想定に対する動作は、不要なシグナリングオーバヘッド及びリソース非効率性を生じさせる。図１１（ａ）に示されるように、ＢＲＳ信号１１０８，１１１０のバーストは、２のビームスイーピング数を有するＵＥデバイスがＢＲＳ信号１１０８，１１１０の第３及び第４のバーストを無視するか、又はそれらを２回検出することによって過大監視するため、不要に生成される。ネットワークがビームスイーピング数を過大推定し、ＢＲＳ送信を過剰生成する側のエラーを好む理由は、ＢＲＳ信号がＵＥデバイスによって見逃されないことを確実にするためである。
【００４５】
図１１（ｂ）は、ＵＥデバイスのビームスイーピング数がネットワークに知られているシナリオを示す。シナリオ１１５０では、ネットワークは、トラッキング期間１１５２中にＢＲＳ信号１１５４，１１５６の２つのバーストを生成する。シナリオ１１５０は、ＢＲＳ信号のバーストが、本例では２であるＵＥのビームスイーピング数とちょうど同じ回数生成されるため、リソース及び電力の効率的な割当てを提供する。
【００４６】
２などの実際のＵＥビームスイーピング数がネットワークに知られている場合、ＢＲＳなどのＵＥ固有シグナリングを提供する効率性が向上できる。従って、ＵＥがＵＥビームフォーミングに関連する情報をネットワークに提供することが有用である。従って、ネットワークは次に、ＵＥに対して適切なＤＬリファレンス信号リソースを割り当てることができる。ＵＥは、これらのリソースを用いて、適切なＤＬビーム及び／又はＵＬビームを特定できる。同様に、それはまた、ネットワークがＵＥに適切なＵＬリファレンス信号リソースを割り当てる場合に有用である。これを実行することによって、ネットワークは、ＵＥによって送信されたＵＬリファレンス信号を監視することを介して、適切なＤＬビーム及び／又はＵＬビームを決定できる。また、それは、ネットワークが、例えば、接続が確立されているとき、可能な限り早期にＵＥビームフォーミング関連情報を取得可能である場合に有用である。
【００４７】
ＵＥビームフォーミング関連情報は、ＵＥがＵＥビームフォーミングを利用する傾向がある、利用している又は利用可能であるか否か、ＵＥビームスイーピングがＵＥによって必要とされているか否か、ＵＥが同時に生成可能な最大ビーム数、ＵＥビームスイーピング数、異なる（全ての）方向をカバーするのに必要とされるＵＥビームの総数／（サブ）セットなどを含むことができる。一例となる実現形態では、上記の情報は、ＵＥの能力に関する情報を提供するシグナリングによってネットワークに通知できる。他の一例となる実現形態では、上記情報の全て又は一部は、ＵＥによる接続状態に入るための手順中に明示的又は非明示的に通知可能である。例えば、当該手順は、ランダムアクセス手順又は接続確立手順とすることができる。情報の全て又は一部は、ランダムアクセス手順のＵＥデータ及び／又は制御情報（例えば、ＬＴＥにおけるＭｓｇ３と同様）を搬送する第１のＵＬ送信又はランダムアクセス手順のプリアンブル（例えば、ＬＴＥにおけるＭｓｇ１と同様）によって明示的又は非明示的に通知できる。ＵＥによって選択されたプリアンブルシーケンス又はプリアンブルを送信するためＵＥによって利用されるリソースは、ＵＥビームフォーミング関連情報を通知するのに利用可能である。
【００４８】
セルにおいてＵＥビームフォーミングを実行するための能力及び必要性を有するＵＥデバイスに関して、ＵＥは、ＵＥビームフォーミングを利用して、例えば、プリアンブルなどのランダムアクセス手順における信号を送信できる。ＵＥがセルにおいてＵＥビームフォーミングを実行する場合、ＵＥは、同期信号、リファレンス信号、発見信号、システム情報及びページング信号を含む信号の１つ以上を受信するためＵＥビームフォーミングを利用可能である。ＵＥビームフォーミングを利用するＵＥは、上記信号を受信するため、ビームスイーピングを必要としうる。ＵＥビームフォーミング又はビームスイーピングを利用するＵＥは、ＵＥビームフォーミング又はビームスイーピングを利用しないＵＥにより監視されるより長い時間間隔で上記信号を監視する必要があり得る。
【００４９】
同期信号は、セルサーチを実現するため、ダウンリンクを介し送信される。同期信号は、プライマリ同期信号及びセカンダリ同期信号を含みうる。リファレンス信号は、例えば、使用又は推定のため、ダウンリンク電力のリファレンスポイントを送るため、ダウンリンクを介し送信される。リファレンス信号は、セル固有リファレンス信号、ＭＢＳＦＮリファレンス信号、ＵＥ固有リファレンス信号、測位リファレンス信号、ＣＳＩリファレンス信号及び／又は発見信号を含みうる。
【００５０】
ＵＥは、セル固有リファレンス信号、プライマリ及びセカンダリ同期信号並びに設定可能なＣＳＩリファレンス信号から構成される発見信号の存在を仮定できる。ネットワークは、中央ユニット（ＣＵ）、分散ユニット（ＤＵ）、送受信ポイント（ＴＲＰ）、基地局（ＢＳ）及び５Ｇノードを含むコンポーネントの１つ以上を含みうる。
【００５１】
図１２は、ＵＥデバイスからネットワークにＵＥビームフォーミングに関連する情報を提供する一例となる方法を示す。フロー図１２００のステップ１２０２において、ＵＥデバイスは、例えば、ＵＥビームスイーピング数を含む情報など、ネットワークノードにＵＥビームフォーミングに関する情報を提供する。一実施例では、当該情報は、ＵＥデバイスとネットワークとの間の接続確立手順中に提供される。他の実施例では、当該情報はランダムアクセス手順中に提供される。
【００５２】
ＵＥデバイスは、ビームスイーピング数に基づきビームスイーピングを実行する。例えば、ビームスイーピング数が２である場合、ＵＥデバイスは、２つのビームセットを生成する。これら２つのビームセットは、２つの別々の時間間隔において連続して生成される。２つのビームセットの連続する生成は、ＵＥデバイスが送信を受信又は送信することを予想する全ての可能な方向をカバーするスイーピングに類似する。他の例では、ビームスイーピング数が４である場合、ＵＥデバイスは、４つの連続する時間間隔において４つのビームセットを生成する。一実施例では、次の時間間隔は、前の時間間隔の終了によってすぐに起こる。他の実施例では、２つのビームスイーピングの時間間隔の間に時間ギャップがある。ビームスイーピング数は、特定のＵＥデバイスが生成可能なＵＥビームの数によって決定される。ＵＥデバイスは、ビームスイーピングを連続的又は半連続的に繰り返してもよい。
【００５３】
図１３は、ＵＥデバイスからネットワークにＵＥビームフォーミングに関する情報を提供する他の一例となる方法を示す。フロー図１３００のステップ１３０２において、ネットワークノードは、ＵＥデバイスからＵＥデバイスのビームスイーピング数を含むＵＥビームフォーミングに関する情報を受信する。ステップ１３０４において、ネットワークノードは、ＵＥデバイスにコンフィギュレーション情報又はリソース割当て情報を提供し、ここで、コンフィギュレーション又はリソースはＵＥビームフォーミングに関する情報に少なくとも基づき決定される。
【００５４】
一実施例では、ＵＥビームフォーミング及び／又はコンフィギュレーション情報に関する情報は、ＵＥデバイスとネットワークとの間の接続確立手順中に交換される。他の実施例では、ＵＥビームフォーミングに関する情報は、ランダムアクセス手順中に提供される。一実施例では、ネットワークは、測定を実行するため、ＵＥデバイスにコンフィギュレーション情報及び／又はリソースを提供する。一実施例では、コンフィギュレーション情報及び／又はリソース割当て情報は、例えば、ＢＲＳなどのリファレンス信号に関連する。
【００５５】
図１２及び１３において上述された方法は、ＵＥデバイスが効率的なＵＥビームフォーミングを実行することを可能にする。双方の方法のための１つの実現例では、ネットワークにＵＥによって提供される情報は、ＵＥがＵＥビームフォーミングを利用する傾向があるか否かを含む。他の例では、当該情報は、ＵＥがＵＥビームフォーミングを利用する傾向があることを示す。他の例では、当該情報は、ＵＥがビームフォーミングを現在利用しているか否かを示す。他の例では、当該情報は、ＵＥがＵＥビームフォーミングを利用可能であるか否かを含む。他の例では、当該情報は、ＵＥがＵＥビームフォーミングを利用可能であることを示す。
【００５６】
双方の方法の１つの実現例では、ネットワークにＵＥデバイスによって提供されるビームフォーミング情報は、ＵＥビームスイーピングが必要とされているか否かを含む。他の例では、当該情報は、ＵＥビームスイーピングがＵＥデバイスによって必要とされていることを示す。他の例では、当該情報は、ＵＥが同時に生成可能なビームの最大数を含む。他の例では、当該情報は、ＵＥデバイスの送受信の（全ての）異なる方向をカバーするのに必要とされるＵＥビームの総数を含む。
【００５７】
１つの実現例では、ビームフォーミング情報は、ＵＥの能力に関する情報を含むシグナリングを介しネットワークにＵＥデバイスによって提供される。一例では、当該情報は接続を確立する手順中に提供される。一例では、当該情報は、接続要求メッセージに提供される。他の例では、当該情報は接続セットアップ完了メッセージに提供される。他の例では、当該情報は、ランダムアクセス手順中にプリアンブルによって提供される。一例では、当該情報は、ＵＥデバイスによって選択されるプリアンブルシーケンスによって通知される。一例では、当該情報は、プリアンブルを送信するためＵＥによって利用される（時間／周波数）リソースによって通知される。一例では、当該情報は、例えば、ＬＴＥにおけるＭｓｇ３などのメッセージなど、ランダムアクセス手順の第１のＵＬ送信において提供される。一例では、当該情報は明示的に提供される。一例では、当該情報は、例えば、他の情報から導出されるなど、非明示的に提供される。
【００５８】
１つの実現例では、ＵＥは接続モードで動作する。一例では、ネットワークノードは中央ユニット（ＣＵ）である。他の例では、ネットワークノードは分散ユニット（ＤＵ）である。他の例では、ネットワークノードはＴＲＰである。他の例では、ネットワークノードは基地局である。他の実施例では、ネットワークノードは５Ｇノードである。他の例では、リソースは、ＵＬにおいて信号を送信するのに利用される。他の例では、リソースは、ＤＬにおいて信号を送信するのに利用される。一実施例では、ネットワークは、ネットワークへのランダムアクセスを実行するためＵＥデバイスにコンフィギュレーション情報又はリソースを提供する。他の実施例では、ネットワークは、発見信号に関するコンフィギュレーション情報又はリソースを提供する。
【００５９】
１つの実現例では、ＵＥデバイスは、ＵＥビームフォーミングを利用可能である。一実施例では、ＵＥは、ＵＥビームフォーミングを実行するため、ＵＥビームスイーピングの利用を必要とする。一例では、ＵＥは、ＵＥビームフォーミングを利用して、例えば、プリアンブルなどランダムアクセス手順において信号を送信する。一例では、ＵＥは、ＵＥビームフォーミングを利用して、ＵＥのサービングセルからの信号を監視（又は受信）する。一例では、サービングセルからの信号は同期信号を含む。他の例では、信号はリファレンス信号を含む。他の例では、信号はシステム情報を含む、他の例では、信号はページング（情報）を含む、一例では、同期信号は、セルサーチを実現するためダウンリンクにおいて送信される。一例では、同期信号は、プライマリ同期信号又はセカンダリ同期信号の１つ以上を含む、一例では、リファレンス信号は、ダウンリンク電力のためのリファレンスポイントを送るため、ダウンリンクにおいて送信される。一例では、リファレンス信号は、セル固有リファレンス信号、ＭＢＳＦＮリファレンス信号、ＵＥ固有リファレンス信号、測位リファレンス信号、ＣＳＩリファレンス信号、発見信号又はビーム固有リファレンス信号の１つ以上を含む。
【００６０】
一例では、ＵＥビームスイーピングは、ＵＥが、送信及び／又は受信のため全ての可能な方向をカバーするためにある時間間隔においてビームのサブセットを生成し、他の時間間隔において生成されたビームを変更することを意味する。他の例では、ＵＥビームスイーピング数は、送信及び／又は受信のため全ての可能な方向でＵＥが１回ビームをスイーピングするために必要な時間間隔数である。
【００６１】
一例となる実現形態では、ＵＥデバイスは、制御回路、制御回路に設置されたプロセッサ及び制御回路に設置され、プロセッサに結合されたメモリを有する。プロセッサは、メモリに格納されたプログラムコードを実行して、図１０，１２，１３において説明された方法を含む上述された方法を実行するよう構成される。
【００６２】
ここに記載された本開示の様々な実施例は、以下に説明される例示的な無線通信システム及びデバイスに適用又は実現可能である。さらに、本開示の様々な実施例は、主に３ＧＰＰアーキテクチャリファレンスモデルに関して説明される。しかしながら、開示された情報によって、当業者は、ここでさらに説明するように、３ＧＰＰ２ネットワークアーキテクチャ及び他のネットワークアーキテクチャにおける本開示の態様を利用及び実現するため容易に適応化可能であることが理解される。
【００６３】
以下に説明される例示的な無線通信システム及びデバイスは、ブロードキャストサービスをサポートする無線通信システムを利用する。無線通信システムは、音声、データなどの様々なタイプの通信を提供するために広く展開されている。これらのシステムは、符号分割多重接続（ＣＤＭＡ）、時分割多重接続（ＴＤＭＡ）、直交周波数分割多重接続（ＯＦＤＭＡ）、３ＧＰＰ  ＬＴＥ（ロングタームエボリューション）無線アクセス、３ＧＰＰ  ＬＴＥ−Ａ（ロングタームエボリューション−アドバンスト）無線アクセス、３ＧＰＰ２  ＵＭＢ（Ｕｌｔｒａ  Ｍｏｂｉｌｅ  Ｂｒｏａｄｂａｎｄ）、ＷｉＭａｘ、５Ｇのための３ＧＰＰ  ＮＲ（Ｎｅｗ  Ｒａｄｉｏ）、又は他の変調技術に基づくものであってもよい。
【００６４】
図１５は、ここに説明される様々な実施例が実現可能である例示的な非限定的な多重接続無線通信システム１５００を表すブロック図である。アクセスネットワーク１５０２（ＡＮ）は複数のアンテナグループを含み、１つのグループはアンテナ１５０４，１５０６を含み、別のグループはアンテナ１５０８，１５１０を含み、更なるグループはアンテナ１５１２，１５１４を含む。図１５では、アンテナグループごとに２つのアンテナしか示されていないが、より多く又はより少ないアンテナが各アンテナグループに対して利用されてもよい。アクセス端末（ＡＴ）１５１６は、アンテナ１５１２，１５１４と通信し、アンテナ１５１２，１５１４は、フォワードリンク１５１８を介しアクセス端末１５１６に情報を送信し、リバースリンク１５２０を介しアクセス端末１５１６から情報を受信する。アクセス端末（ＡＴ）１５２２は、アンテナ１５０６，１５０８と通信し、アンテナ１５０６，１５０８は、フォワードリンク１５２４を介しアクセス端末（ＡＴ）１５２２に情報を送信し、リバースリンク１５２６を介しアクセス端末（ＡＴ）１５２２から情報を受信する。周波数分割複信（ＦＤＤ）システムでは、通信リンク１５１８，１５２０，１５２４，１５２６は、通信のため異なる周波数を利用しうる。例えば、フォワードリンク１５１８は、リバースリンク１５２０によって使用されるものと異なる周波数を使用しうる。
【００６５】
各アンテナグループ及び／又はそれらが通信するように設計されるエリアは、しばしばアクセスネットワークのセクタと呼ばれる。非限定的な態様では、アンテナグループのそれぞれは、アクセスネットワーク１５０２によってカバーされるエリアのセクタにおけるアクセス端末と通信するよう設計可能である。
【００６６】
フォワードリンク１５１８，１５２４を介した通信では、アクセスネットワーク１５０２の送信アンテナは、異なるアクセス端末１５１６，１５２２に対するフォワードリンクの信号対雑音比を改善するためにビームフォーミングを利用してもよい。また、それのカバレッジを通じてランダムに散在したアクセス端末に送信するためにビームフォーミングを使用するアクセスネットワークは、通常、単一のアンテナを介してその全てのアクセス端末に送信するアクセスネットワークよりも隣接セルのアクセス端末への干渉をより少なくする。
【００６７】
アクセスネットワーク（ＡＮ）は、端末と通信するため使用される固定局又は基地局であってもよく、アクセスポイント、ノードＢ、基地局、拡張基地局、ｅＮｏｄｅＢ又はいくつかの他の専門用語として参照されてもよい。アクセス端末（ＡＴ）はまた、ユーザ装置（ＵＥ）、ＵＥデバイス、通信デバイス、無線通信デバイス、モバイルデバイス、モバイル通信デバイス、端末、アクセス端末又は他の何らかの用語で呼ばれてもよい。
【００６８】
図１６は、送信システム１６０２（ここではアクセスネットワークとも参照される）及び受信システム１６０４（ここではアクセス端末（ＡＴ）又はユーザ装置（ＵＥ）とも参照される）の例示的な実施例を示す例示的な非限定的なＭＩＭＯシステム１６００の簡単化されたブロック図である。
【００６９】
非限定的な態様では、各データストリームは、それぞれの送信アンテナを介し送信することができる。例示的なＴＸデータプロセッサ１６０６は、符号化データを提供するためにデータストリームに対して選択された特定の符号化方式に基づき、各データストリームのトラフィックデータをフォーマット化、符号化及びインターリーブすることができる。
【００７０】
各データストリームの符号化データは、ＯＦＤＭ技術を利用してパイロットデータと多重化することができる。パイロットデータは、典型的には、既知の方法で処理され、チャネル応答を推定するために受信システム１６０４で使用される既知のデータパターンである。その後、多重化されたパイロット及び各データストリームの符号化データは、変調シンボルを提供するためデータストリームについて選択された特定の変調方式（例えば、バイナリ位相シフトキーイング（ＢＰＳＫ）、直交位相シフトキーイング（ＱＰＳＫ）、Ｍ進又はより高次のＰＳＫ（Ｍ−ＰＳＫ）、又はＭ進直交振幅変調（Ｍ−ＱＡＭ）など）に基づき変調（例えば、シンボルマッピング）される。各データストリームのデータレート、符号化及び変調は、プロセッサ１６０８によって実行される命令によって決定されてもよい。
【００７１】
全てのデータストリームのための変調シンボルは、変調シンボル（例えば、ＯＦＤＭに対する）を更に処理しうるＴＸ  ＭＩＭＯプロセッサ１６１０に提供される。ＴＸ  ＭＩＭＯプロセッサ１６１０は、その後、複数の（ＮＴ）変調シンボルストリームをＮＴ送信機（ＴＭＴＲ）１６１２ａ〜１６１２ｔに提供する。特定の実施例では、ＴＸ  ＭＩＭＯプロセッサ１６１０は、データストリームのシンボル及び当該シンボルが送信されているアンテナにビームフォーミングウェイトを適用する。
【００７２】
各送信機１６１２は、それぞれのシンボルストリームを受信及び処理し、１つ以上のアナログ信号を提供し、さらにアナログ信号を調整（例えば、増幅、フィルタリング及びアップコンバートなど）し、ＭＩＭＯチャネルを介した送信に適した変調信号を提供する。次に、送信機１６１２ａ〜１６１２ｔからのＮＴ変調信号はそれぞれ、ＮＴアンテナ１６１４ａ〜１６１４ｔから送信される。
【００７３】
受信システム１６０４において、送信された変調信号は、複数の（ＮＲ）アンテナ１６１６ａ〜１６１６ｒによって受信され、各アンテナ１６１６からの受信信号は、それぞれの受信機（ＲＣＶＲ）１６１８ａ〜１６１８ｒに提供される。各受信機１６１８は、それぞれの受信信号を調整（例えば、フィルタ、増幅及びダウンコンバートなど）し、調整された信号をデジタル化してサンプルを提供し、さらにサンプルを処理して対応する“受信”シンボルストリームを提供する。
【００７４】
次に、ＲＸデータプロセッサ１６２０は、特定の受信処理技術に基づきＮＲ受信機１６１８からのＮＲ受信シンボルストリームを受信及び処理し、ＮＴ“検出”シンボルストリームを提供する。次に、ＲＸデータプロセッサ１６２０は、検出された各シンボルストリームを復調、デインターリーブ及び復号化し、データストリームのトラフィックデータを復元する。ＲＸデータプロセッサ１６２０による処理は、送信システム１６０２におけるＴＸ  ＭＩＭＯプロセッサ１６１０及びＴＸデータプロセッサ１６０６によって実行される処理と相補的である。
【００７５】
プロセッサ１６２２は、例えば、ここでさらに説明されるように、どのプリコーディングマトリスクを使用するかを周期的に決定する。プロセッサ１６２２は、マトリクスインデックス部分及びランク値部分を含むリバースリンクメッセージを形成する。
【００７６】
リバースリンクメッセージは、通信リンク及び／又は受信データストリームに関する様々なタイプの情報を含んでもよい。その後、リバースリンクメッセージは、ＴＸデータプロセッサ１６２４によって処理され、データソース１６２６からの多数のデータストリームのトラフィックデータを受信し、変調器１６２８によって変調され、送信機１６１８ａ〜１６１８ｒによって調整され、送信システム１６０２に送り返される。
【００７７】
送信システム１６０２において、受信システム１６０４からの変調信号は、アンテナ１６１４によって受信され、受信機１６１２によって調整され、復調器１６３０によって復調され、ＲＸデータプロセッサ１６３２によって処理され、受信システム１６０４により送信されたリバースリンクメッセージを抽出する。次に、プロセッサ１６０８は、ビームフォーミングウェイトを決定するため何れのプリコーディングマトリクスを使用するか決定し、抽出されたメッセージを処理する。
【００７８】
メモリ１６３４は、例えば、図１０〜１３に関してここで更に説明されるように、プロセッサ１６０８を介し１６３０又は１６３２からのいくつかのバッファリングされた／計算データを一時的に格納し、データソース１６３６からバッファリングされたいくつかのデータを格納し、又は、いくつかの特定のプログラムコードを一時的に記憶するのに利用されてもよい。同様に、メモリ１６３８は、例えば、図１０〜１３に関してここで更に説明されるように、プロセッサ１６２２を介しＲＸデータプロセッサ１６２０からのいくつかのバッファリングされた／計算データを一時的に格納し、データソース１６２６からバッファリングされたいくつかのデータを格納し、又は、いくつかの特定のプログラムコードを一時的に記憶するのに利用されてもよい。
【００７９】
上述の例示的な実施例を考慮して、開示された主題に従って実現可能なデバイス及びシステムは、図１０〜１３の図を参照してより良く理解されるであろう。説明の簡単化のため、例示的なデバイス及びシステムはブロックの集合として図示及び説明されているが、いくつかのブロックはここに図示及び説明されたものと関連する他のブロック又は機能と異なる順序、配置で行われてもよく、及び／又は組み合わせ及び／又は分散されてもよいとき、請求された主題は、ブロックの順序、配置及び／又は数によって限定されないことが理解及び認識されるべきである。さらに、以下に説明される例示的なデバイス及びシステムを実現するため、図示されたブロックの全てが必要とされるわけではない。さらに、本明細書を通じて以下に開示される例示的なデバイス及びシステム及び／又は機能は、例えば、ここでさらに説明されるように、そのような方法をコンピュータに輸送及び転送することを実現するための製造物に格納することができることを理解されるべきである。ここで使用されるコンピュータ可読媒体、製造物などの用語は、有形のコンピュータ可読記憶媒体などの何れかのコンピュータ可読デバイス又は媒体からアクセス可能なコンピュータプログラム製品を包含するように意図されている。
【００８０】
ここに説明される様々な技術は、ハードウェア又はソフトウェア、あるいは、適切な場合には両方の組み合わせと共に実現されてもよいことが理解できる。ここで使用される“デバイス”、“コンポーネント”、“システム”などの用語は、ハードウェア、ハードウェアとソフトウェアの組み合わせ、ソフトウェア又は実行中のソフトウェアのいずれかのコンピュータ関連エンティティを指すことが意図される。例えば、“デバイス”、“コンポーネント”、“サブコンポーネント”、“システム”及びこれらの部分などは、限定することなく、プロセッサ上で実行されるプロセス、プロセッサ、オブジェクト、実行可能、実行スレッド、プログラム及び／又はコンピュータであってもよい。例として、コンピュータ上で実行されるアプリケーションとコンピュータの両方がコンポーネントとなり得る。１つ以上のコンポーネントは、プロセス及び／又は実行スレッド内にあってもよく、コンポーネントは、１つのコンピュータ上にローカライズされ、及び／又は２つ以上のコンピュータ間に分散されてもよい。
【００８１】
例示的なシステム、方法、シナリオ及び／又はデバイスの簡単な概要が示されているが、開示された主題はそれに限定されないことがさらに理解されよう。従って、ここに説明される実施例の範囲から逸脱することなく、様々な変更、改変、追加及び／又は削除が可能であることが、さらに理解できる。従って、同様の非限定的な実現形態が利用可能であるか、あるいは、逸脱することなく対応する実施例の同一又は等価な機能を実行するため、説明された実施例に対して変更及び追加が可能である。
【００８２】
図１７は、開示される主題の様々な態様を実行するのに適した例示的な非限定的なデバイス又はシステム１７００を示す。デバイス又はシステム１７００は、更にここに説明されるように、スタンドアローンデバイス若しくはその一部、特別にプログラムされた計算デバイス若しくはその一部（例えば、プロセッサに結合されたここに説明される技術を実行するための命令を保持するメモリ）及び／又はいくつかのデバイスに分散された１つ以上の連携する構成要素を含む複合デバイス又はシステムとすることができる。一例として、例示的な非限定的なデバイス又はシステム１７００は、上述されたように、又は図１８〜２０などに関して更に後述される図１〜１６に示されるデバイス及び／又はシステムの何れかの具体例若しくはこれらの一部とすることができる。
【００８３】
例えば、図１７は、ＵＥデバイス１５１６又は１５２２とすることができる例示的なデバイス１７００を示す。別の非限定的な例において、図１７は、アクセスネットワーク１５０２、ｅＮＢ１１０又はＴＲＰ１２０，１２４又は１２８とすることが可能な例示的なデバイス１７００を示す。デバイス１７００は、図１０〜１３及び関連する説明に示されるように、ビームフォーミング、ビームスイーピング、セル選択、セル測定、セル評価及びＵＥデバイスとネットワークとの間の接続を実行するよう構成可能である。デバイス又はシステム１７００は、有形のコンピュータ可読記憶媒体上にコンピュータ実行可能命令を保持するメモリ１７０２を含むことができ、これらの命令は、プロセッサ１７０４によって実行可能である。一例として、ＵＥ１７００は、ネットワークとの接続を開始し、ＵＥのビームスイーピング数を含むビームフォーミング情報をネットワークに提供し、ネットワークから受信されたリファレンス信号を受信及び解析することができる。ＵＥ１７００は、ビームフォーミング、ビームスイーピング、セル測定及び評価並びにセル選択を実行できる。システム１７００がネットワークを表す具体例では、ネットワーク１７００は、ＵＥデバイスのビームフォーミング情報（例えば、ＵＥデバイスのビームスイーピング数）を含むＵＥデバイスからの通信を受信し、ＵＥビームフォーミングの利用の効率性においてＵＥデバイスを支援するため、ＵＥデバイスにコンフィギュレーション情報及びリソース割当てを提供できる。
【００８４】
図１８は、本開示の各種態様を援用するのに適したＵＥデバイス（例えば、ＡＴ１５１６、ＡＴ１５２２、受信システム１６０４又はこれらの一部を含み、及び／又は図１２〜１８に関してここで更に説明されるようなビーム管理を実行するよう構成されたＵＥデバイスなど）、基地局（例えば、アクセスネットワーク１５０２、送信システム１５０２及び／又はその一部など、ビームハンドリング用に構成された基地局など）などの非限定的な通信デバイス２２００の簡単化された機能ブロック図を示す。図１６に示されるように、無線通信システムにおける例示的な通信デバイス１６００は、例えば、図１５におけるＵＥ（又はＡＴ）１５１６，１５２２を実現するのに利用可能であり、更なる具体例として、図１５に関して上述された無線通信システムは、ＬＴＥシステム、ＮＲシステムなどとすることができる。例示的な通信デバイス１８００は、入力デバイス１８０２、出力デバイス１８０４、制御回路１８０６、中央処理ユニット（ＣＰＵ）１８０８、メモリ１８１０、プログラムコード１８１２及び送受信機１８１４を有することが可能である。例示的な制御回路１８０６は、ＣＰＵ１８０８を介しメモリ１８１０におけるプログラムコード１８１２を実行することができ、それによって、通信デバイス１８００の動作を制御する。例示的な通信デバイス１８００は、キーボード又はキーパッドなどの入力デバイス１８０２を介してユーザによって入力された信号を受信可能であり、モニタ又はスピーカなどの出力デバイス１８０４を介し画像及び音声を出力可能である。例示的な送受信機１８１４は、例えば、図１５に関して上述されたように、無線信号を送受信し、受信した信号を制御回路１８０６に送り、制御回路１８０６によって生成された信号を無線出力するのに利用可能である。
【００８５】
従って、ここに説明されるさらなる非限定的な実施例は、一例となる制御回路１８０６、制御回路（例えば、制御回路１８０６）に設置されたプロセッサ（例えば、ＣＰＵ１８０８）、制御回路（例えば、制御回路１８０６）に設定され、プロセッサ（例えば、ＣＰＵ１８０８）に結合されたメモリ（例えば、メモリ１８１０）の１つ以上を含むことが可能なＵＥデバイス（例えば、ビームハンドリング用に構成され、ＡＴ１５１６，１５２２、受信システム１６０４又はこれらの一部を含み、及び／又は図１０〜２０に関してここに更に説明されたＵＥデバイス）を有することが可能であり、ここで、プロセッサ（例えば、ＣＰＵ１８０８）は、ここに説明されるように、方法ステップを実行し、及び／又は機能を提供するため、メモリ（例えば、メモリ１８１０）に記憶されたプログラムコード（例えば、プログラムコード１８１２）を実行するよう構成される。非限定的な例として、一例となるプログラムコード（例えば、プログラムコード１８１２）は、図１〜２０及び／又はこれらの何れかの組み合わせに関してここに説明されるような機能を実現するよう構成されるコンピュータ実行可能な命令に加えて、図１７に関して上述されたようなコンピュータ実行可能な命令、その一部及び／又は相補的若しくは補完的な命令を含むことが可能である。
【００８６】
図１９は、本開示の各種態様を含むのに適した図１８に示された例示的なプログラムコード１８１２の簡略化されたブロック図２３００を示す。本実施例では、例示的なプログラムコード１９１２は、アプリケーションレイヤ１９０２、レイヤ３部分１９０４及びレイヤ２部分１９０６を含むことができ、レイヤ１部分１９０８に結合することができる。レイヤ３部分１９０４は、一般に無線リソース制御を行う。レイヤ２部分１９０６は、一般にリンク制御を実行する。レイヤ１部分１９０８は、一般に、物理的接続を実行する。ＬＴＥ、ＬＴＥ−Ａ又はＮＲシステムについて、レイヤ２部分１９０６は、無線リンク制御（ＲＬＣ）レイヤ及び媒体アクセス制御（ＭＡＣ）レイヤを含みうる。レイヤ３部分１９０４は、無線リソース制御（ＲＲＣ）レイヤを含みうる。さらに、さらに上述したように、例示的なプログラムコード（例えば、プログラムコード１８１２）は、図１〜２０及び／又はこれらの何れかの組み合わせに関してここで説明されたような機能を実現するよう構成されるコンピュータ実行可能な命令に加えて、図１７に関して上述されたようなコンピュータ実行可能な命令、その一部及び／又は相補的若しくは補完的な命令を含むことができる。
【００８７】
図２０は、ここに説明された実施例による開示された主題の様々な非限定的な態様を実現可能な例示的なモバイルデバイス２０００（例えば、モバイルハンドセット、ＵＥ、ＡＴなど）の概略図を示す。ここではモバイルハンドセット２０００が図示されているが、他のデバイスは、例えば、多数の他のモバイルデバイスのいずれかであり、モバイルハンドセット２０００は、ここに説明された主題の実施例のコンテクストを提供するため単に図示されていることが利されるであろう。以下の説明は、様々な実施例が実現可能な適切な環境２０００の一例の簡単で一般的な説明を提供することを意図している。この説明は、有形なコンピュータ可読記憶媒体に具体化されるコンピュータ実行可能な命令の汎用的なコンテクストを含むが、当業者は、当該主題がまた他のプログラムモジュールと共に、及び／又はハードウェアとソフトウェアとの組み合わせとして実現可能であることを認識するであろう。
【００８８】
一般に、アプリケーション（例えば、プログラムモジュール）は、特定のタスクを実行するか、あるいは、特定の抽象データタイプを実現するルーチン、プログラム、コンポーネント、データ構造などを含むことが可能である。さらに、当業者は、ここに説明される方法が、それぞれが１つ以上の関連するデバイスと動作接続可能であるパーソナルコンピュータ、携帯計算デバイス、マイクロプロセッサベース若しくはプログラマブル家電機器などと共に、シングルプロセッサ若しくはマルチプロセッサシステム、ミニコンピュータ、メインフレームコンピュータを含む他のシステム構成により実現可能であることを理解するであろう。
【００８９】
計算デバイスは、典型的には、各種コンピュータ可読媒体を含むことが可能である。コンピュータ可読媒体は、コンピュータによってアクセス可能であり、揮発性媒体と不揮発性媒体との双方、着脱可能媒体と着脱不可な媒体との双方を含む何れか利用可能な媒体を有することが可能である。限定することなく例示的に、コンピュータ可読媒体は、有形なコンピュータ可読ストレージ及び／又は通信媒体を含むことが可能である。有形なコンピュータ可読媒体は、コンピュータ可読命令、データ構造、プログラムモジュール又は他のデータなど、情報の格納のための何れかの方法又は技術により実現される揮発性及び／又は不揮発性媒体、着脱可能及び／又は着脱不可媒体を含むことが可能である。有形なコンピュータ可読ストレージは、限定することなく、ＲＡＭ、ＲＯＭ、ＥＥＰＲＯＭ、フラッシュメモリ若しくは他のメモリ技術、ＣＤ  ＲＯＭ、デジタルビデオディスク（ＤＶＤ）若しくは他の光ディスクストレージ、磁気カセット、磁気テープ、磁気ディスクストレージ若しくは他の磁気ストレージデバイス、又は所望の情報を記憶するのに利用可能であって、コンピュータによりアクセス可能な他の何れかの媒体を含むことが可能である。
【００９０】
有形なコンピュータ可読ストレージと対照される通信媒体は、典型的には、搬送波又は他のトランスポート機構などの変調されたデータ信号においてコンピュータ可読命令、データ構造、プログラムモジュール又は他のデータを具体化し、何れかの情報搬送媒体を含む。“変調データ信号”という用語は、例えば、ここで更に説明されるように、信号における情報を符号化するための方法で変更された又はそれの特性セットの１つ以上を含む信号を意味する。限定することなく例示的には、通信媒体は、有線ネットワーク又は直接的な有線接続などの有線媒体と、音響、ＲＦ、赤外線及び他の無線媒体などの無線媒体とを含む。上記の何れかの組み合わせはまた、コンピュータ可読記憶媒体と区別できるように、コンピュータ可読通信媒体の範囲内に含まれるべきである。
【００９１】
ハンドセット２０００は、全てのオンボード処理及び機能を制御及び処理するプロセッサ２００２を有することが可能である。メモリ２００４は、データ及び１つ以上のアプリケーション２００６（例えば、ブラウザ、アプリなどの通信アプリケーション）の格納のためプロセッサ２００２とのインタフェースをとる。他のアプリケーションは、通信の処理及び／又は経済的通信プロトコルをサポート可能である。アプリケーション２００６は、メモリ２００４及び／又はファームウェア２００８に記憶され、メモリ２００４及び／又はファームウェア２００８の一方又は双方からプロセッサ２００２によって実行可能である。ファームウェア２００８はまた、ハンドセット２０００を初期化する際に実行されるスタートアップコードを記憶可能である。通信コンポーネント２０１０は、セルラネットワーク、ＶｏＩＰネットワークなどの外部システムとの有線／無線通信を実現するため、プロセッサ２００２とインタフェースをとる。ここで、通信コンポーネント２０１０はまた、対応する信号通信などに適したセルラ送受信機２０１１（例えば、ＧＳＭ（登録商標）送受信機、ＣＤＭＡ送受信機、ＬＴＥ送受信機）及び／又はアンライセンス送受信機２０１３（例えば、Ｗｉｒｅｌｅｓｓ  Ｆｉｄｅｌｉｔｙ（ＷｉＦｉＴＭ）、ＷｉＭａｘ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）を含むことが可能である。ハンドセット２０００は、携帯電話、モバイル通信機能を備えたパーソナルデジタルアシスタント（ＰＤＡ）及びメッセージングセントリックデバイスなどのデバイスとすることができる。通信コンポーネント２０１０はまた、地上無線ネットワーク（例えば、放送）、デジタル衛星無線ネットワーク及びインターネットベース無線サービスネットワークなどからの通信受信を実現する。
【００９２】
ハンドセット２０００は、テキスト、画像、ビデオ、電話機能（例えば、発信先ＩＤ機能）、セットアップ機能及びユーザ入力を表示するディスプレイ２０１２を有する。例えば、ディスプレイ２０１２はまた、マルチメディアコンテンツ（例えば、音楽メタデータ、メッセージ、壁紙、グラフィクス）の提示を収容可能な“スクリーン”として参照可能である。ディスプレイ２００２はまた、ビデオを表示し、ビデオ引用の生成、編集及び共有を実現可能である。シリアルＩ／Ｏインタフェース２０１４は、ハードウェア接続及び他のシリアル入力デバイス（例えば、キーボード、キーパッド及びマウス）を介し有線及び／又は無線シリアル通信（例えば、ＵＳＢ（Ｕｎｉｖｅｒｓａｌ  Ｓｅｒｉａｌ  Ｂｕｓ）及び／又はＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１４９４）を実現するため、プロセッサ２００２との通信において提供される。これは、例えば、ハンドセット２０００の更新及びトラブルシューティングをサポートする。オーディオ機能がオーディオＩ／Ｏコンポーネント２０１６に備えられ、例えば、ユーザがユーザフィードバック信号を開始するために適切なキー又はキーの組み合わせを押下したという通知に関するオーディオ信号の出力のためのスピーカを含みうる。オーディオＩ／Ｏコンポーネント２０１６はまた、データ及び／又は電話音声データを記録し、電話の会話の音声信号を入力するため、マイクロフォンを介し音声信号の入力を実現する。
【００９３】
ハンドセット２０００は、ＳＩＭ（Ｓｕｂｓｃｒｉｂｅｒ  Ｉｄｅｎｔｉｔｙ  Ｍｏｄｕｌｅ）カード又はユニバーサルＳＩＭ２０２０のフォームファクタのＳＩＣ（Ｓｕｂｓｃｒｉｂｅｒ  Ｉｄｅｎｔｉｔｙ  Ｃｏｍｐｏｎｅｎｔ）を収容し、プロセッサ２００２とＳＩＭカード２０２０とのインタフェースをとるためのスロットインタフェース２０１８を有することが可能である。しかしながら、ＳＩＭカード２０２０はハンドセット２０００に製造され、データ及びソフトウェアをダウンロードすることによって更新可能であることが理解されるべきである。
【００９４】
ハンドセット２０００は、インターネットサービスプロバイダ（ＩＳＰ）又はブロードバンドケーブルプロバイダを介しインターネット、企業イントラネット、ホームネットワーク、パーソナルエリアネットワーク、セルラネットワークなどのＩＰネットワークからのＩＲトラフィックを収容するため、通信コンポーネント２０１０を介しインターネットプロトコル（ＩＰ）データトラフィックを処理可能である。従って、ＶｏＩＰトラフィックは、ハンドセット２０００によって利用可能であり、ＩＰベースマルチメディアコンテンツは、符号化又は復号化フォーマットの何れかにより受信可能である。
【００９５】
ビデオ処理コンポーネント２０２２（例えば、カメラ及び／又は関連するハードウェア、ソフトウェアなど）は、符号化されたマルチメディアコンテンツを復号化するために備えることが可能である。ビデオ処理コンポーネント２０２２は、ビデオの生成及び／又は共有を実現するのに役立ちうる。ハンドセット２０００はまた、バッテリ及び／又は交流電流（ＡＣ）電力サブシステムの形態で電源２０２４を有し、当該電源２０２４は、電力入出力（Ｉ／Ｏ）コンポーネント２０２６によって外部電力システム又は充電機器（図示せず）とのインタフェースをとることが可能である。
【００９６】
ハンドセット２０００はまた、受信したビデオコンテンツを処理し、ビデオコンテンツを記録及び送信するためのビデオコンポーネント２４３０を有することが可能である。例えば、ビデオコンポーネント２０３０は、ビデオの生成、編集及び共有を実現可能である。位置トラッキングコンポーネント２０３２は、ハンドセット２０００の地理的な測位を実現する。ユーザ入力コンポーネント２０３４は、上述されたように、ユーザがデータを入力し、及び／又は選択することを実現する。ユーザ入力コンポーネント２０３４はまた、資金の移転のための受取予定者を選択し、移転されるべき金額を入力し、口座制限及び／又は限定を指示すると共に、コンテクストによって必要とされるメッセージ及び他のユーザ入力タスクを構成することを実現可能である。ユーザ入力コンポーネント２０３４は、例えば、キーパッド、キーボード、マウス、スタイラスペン及び／又はタッチスクリーンなどの従来の入力デバイス技術を含むことができる。
【００９７】
再びアプリケーション２００６を参照して、ヒステリシスコンポーネント２０３６は、アクセスポイントと関連付けする時点を決定するのに利用されるヒステリシスデータの解析及び処理を実現する。ＷｉＦｉＴＭ送受信機１８１３がアクセスポイントのビーコンを検出した際、ヒステリシスコンポーネント２０３６のトリガを実現するソフトウェアトリガコンポーネント２０３８が、備えることができる。ＳＩＰ（Ｓｅｓｓｉｏｎ  Ｉｎｉｔｉａｔｉｏｎ  Ｐｒｏｔｏｃｏｌ）クライアント２０４０は、ハンドセット２０００がＳＩＰプロトコルをサポートし、ＳＩＰレジスタサーバに加入者を登録することを可能にする。アプリケーション２００６はまた、他の可能性のうち、上述されたようなユーザインタフェースコンポーネント機能を実現可能な通信アプリケーション又はクライアント２４４６を含むことができる。
【００９８】
開示の各種態様が上述された。ここでの教示は広範な形態で具体化され、ここに開示される何れか特定の構成、機能又はその双方は単に代表的なものであることが明らかであるべきである。ここでの教示に基づき、当業者は、ここに開示された態様が他の何れかの態様から独立して実現されてもよく、これらの態様の２つ以上が様々な方法で組み合わせ可能であることを理解すべきである。例えば、ここに与えられた何れかの数の態様を利用して、装置が実現されてもよいし、あるいは、方法が実施されてもよい。さらに、ここに与えられた態様の１つ以上の加えて、又は以外の他の構成、機能又は構成及び機能を利用して、このような装置が実現されてもよいし、あるいは、このような方法が実施されてもよい。上記のコンセプトのいくつかの具体例として、いくつかの態様では、同時チャネルがパルス繰り返し周波数に基づき確立されてもよい。いくつかの態様では、同時チャネルがパルスポジション又はオフセットに基づき確立されてもよい。いくつかの態様では、同時チャネルが時間ホッピングシーケンスに基づき確立されてもよい。いくつかの態様では、同時チャネルがパルス繰り返し周波数、パルスポジション又はオフセット及び時間ホッピングシーケンスに基づき確立されてもよい。
【００９９】
当業者は、情報及び信号が様々な異なる技術の何れかを用いて表現されても良いことを理解するであろう。例えば、上記説明を通じて参照されうるデータ、命令、コマンド、情報、信号、ビット、シンボル及びチップは、電圧、電流、電磁波、磁場若しくは粒子、光場若しくは粒子又はこれらの何れかの組み合わせによって表されてもよい。
【０１００】
当業者は更に、ここに開示された態様と共に説明される各種の例示的な論理ブロック、モジュール、プロセッサ、手段、回路及びアルゴリズムステップが、電子的ハードウェア（例えば、ソース符号化又は他の技術を用いて設計されうるデジタル実現形態、アナログ実現形態又は２つの組み合わせ）、命令を含むプログラム若しくは設計コードの各種形態（便宜上、“ソフトウェア”又は“ソフトウェアモジュール”としてここで参照されうる）、又は双方の組み合わせとして実現されてもよい。ハードウェアとソフトウェアとのこの互換性を明確に示すため、各種の例示的なコンポーネント、ブロック、モジュール、回路及びステップが、それらの機能に関して一般的に上述された。このような機能がハードウェア又はソフトウェアとして実現されるか否かは、システム全体に課される特定のアプリケーション及び設計制約に依存する。当業者は、特定の各アプリケーションのための様々な方法で説明された機能を実現してもよいが、このような実現の決定は、本開示の範囲からの逸脱を生じさせるものとして解釈されるべきでない。
【０１０１】
さらに、ここに開示される態様と共に説明される様々な例示的な論理ブロック、モジュール及び回路は、集積回路（“ＩＣ”）、アクセス端末又はアクセスポイント内で実現されるか、あるいはこれらによって実行されてもよい。ＩＣは、汎用プロセッサ、デジタル信号プロセッサ（ＤＳＰ）、特定用途向け集積回路（ＡＳＩＣ）、ＦＰＧＡ（Ｆｉｅｌｄ  Ｐｒｏｇｒａｍｍａｂｌｅ  Ｇａｔｅ  Ａｒｒａｙ）若しくは他のプログラマブル論理デバイス、離散ゲート若しくはトランジスタロジック、離散ハードウェアコンポーネント、電気コンポーネント、光コンポーネント、機械コンポーネント又はここに説明された機能を実行するよう設計されたこれらの何れかの組み合わせを含むものであってもよく、ＩＣ内、ＩＣ外又は双方に配置されたコード又は命令を実行しうる。汎用プロセッサはマイクロプロセッサであってもよいが、あるいは、プロセッサは、何れか従来のプロセッサ、コントローラ、マイクロプロセッサ又は状態マシーンであってもよい。プロセッサはまた、ＤＳＰとマイクロプロセッサとの組み合わせなどの計算デバイスの組み合わせ、複数のマイクロプロセッサ、ＤＳＰコアと共に１つ以上のマイクロプロセッサ又は他の何れかこのような構成として実現されてもよい。
【０１０２】
何れか開示されたプロセスにおける何れか特定の順序又は階層のステップはサンプルアプローチの具体例であることが理解される。設計嗜好に基づき、プロセスにおける特定の順序又は階層のステップは、本開示の範囲内に留まりながら再構成されうることが理解される。添付した方法の請求項は、サンプル順序における各種ステップの要素を提示し、提示された特定の順序又は階層に限定されることを意味していない。
【０１０３】
ここに開示された態様に関連して説明された方法又はアルゴリズムのステップは、直接ハードウェアにおいて、プロセッサにより実行されるソフトウェアモジュールにおいて、又は２つの組み合わせにおいて具体化されてもよい。ソフトウェアモジュール（例えば、実行可能命令及び関連データを含む）及び他のデータは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ又は当該分野において既知の他の何れかの形態のコンピュータ可読記憶媒体などのデータメモリに配置されてもよい。サンプル記憶媒体は、プロセッサが記憶媒体から情報（例えば、コード又はプログラムコード）を読み書きできるように、コンピュータ／プロセッサ（便宜上、“プロセッサ”としてここでは参照されうる）などのマシーンに結合されてもよい。サンプル記憶媒体は、プロセッサに統合されてもよい。プロセッサ及び記憶媒体はＡＳＩＣに配置されてもよい。ＡＳＩＣはユーザ装置に配置されてもよい。あるいは、プロセッサ及び記憶媒体は、ユーザ装置における離散コンポーネントに配置されてもよい。さらに、いくつかの態様では、何れか適切なコンピュータプログラム製品は、開示の態様の１つ以上に関連するコードを含むコンピュータ可読媒体を含んでもよい。いくつかの態様では、コンピュータプログラム製品はパッケージング物質を含んでもよい。
【０１０４】
本開示の各種実施例が様々な非限定的な態様に関して説明されたが、本開示の実施例が更なる修正が可能であることが理解されるであろう。本出願は、一般に本開示の原理に従って、本開示からの逸脱を含む本開示の何れかの変形、使用又は適応化を、本開示が属する技術内の既知及びカスタマイズされた実施内に属するものとしてカバーすることが意図される。
【０１０５】
当業者は、ここに与えられた方式でデバイス及び／又はプロセスを説明し、その後、技術的実施を用いて説明されたデバイス及び／又はプロセスをシステムに統合することが技術範囲内で一般的であることを認識するであろう。すなわち、ここに説明されるデバイス及び／又はプロセスの少なくとも一部は、妥当な量の実験を介しシステムに統合可能である。当業者は、典型的なシステムが、システムユニットハウジング、ビデオディスプレイデバイス、揮発性及び不揮発性メモリなどのメモリ、マイクロプロセッサ及びデジタル信号プロセッサなどのプロセッサ、オペレーティングシステム、ドライバ、グラフィカルユーザインタフェース及びアプリケーションプログラムなどの計算エンティティ、タッチ又はスクリーンなどの１つ以上のインタラクションデバイス、及び／又はフィードバックループ及び制御デバイスを含む制御システム（例えば、位置及び／又は速度を検知するフィードバック、移動及び／又は調整パラメータのための制御デバイス）の１つ以上を含むことが可能であることを認識するであろう。典型的なシステムは、データ計算／通信及び／又はネットワーク計算／通信システムにおいて典型的には見つけられるものなど、何れか適切な商業的に利用可能なコンポーネントを用いて実現可能である。
【０１０６】
開示された主題の各種実施例は、他のコンポーネントに含まれるか、あるいは接続される異なるコンポーネントを示すことがある。このような図示されたアーキテクチャは単なる一例であり、実際には、同一及び／又は等価な機能を実現する多数の他のアーキテクチャが実現可能であることが理解されるべきである。概念的な意味で、同一及び／又は等価な機能を実現するためのコンポーネントの何れかの配置は、所望される機能が実現されるように、効果的に“関連付け”される。ここでは、特定の機能を実現するためここに組み合わされる何れか２つのコンポーネントは、アーキテクチャ又は中間的なコンポーネントに関係なく、所望の機能が実現されるように、互いに“関連付け”されているとみなすことができる。同様に、関連付けされた何れか２つのコンポーネントはまた、所望の機能を実現するため、互いに“動作接続”、“動作結合”、“通信接続”及び／又は“通信結合”されるとしてみなすことができ、関連付け可能な何れか２つのコンポーネントは、所望の機能を実現するため、互いに“動作結合可能”又は“通信結合可能”であるとしてみなすことができる。動作結合可能又は通信結合可能の特定の具体例は、限定することなく、物理的に接合可能及び／又は物理的に相互作用するコンポーネント、無線相互作用可能及び／又は無線相互作用するコンポーネント、及び／又は論理相互作用及び／又は論理相互作用可能コンポーネントを含むことができる。
【０１０７】
ここに用いられる実質的に何れか複数及び／又は単数の用語に関して、当業者は、コンテクスト及び／又はアプリケーションにとって適切であり得るとして、複数から単数及び／又は単数から複数に変換可能である。各種の単数／複数の置換は、限定することなく、簡単化のためここで明示的に提供されてもよい。
【０１０８】
一般に、ここで用いられ、特に添付した請求項（例えば、添付した請求項のボディ）における用語は、一般に“オープン”な用語（例えば、“含む”という用語は“限定することなく含む”として解釈されるべきであり、“有する”という用語は“少なくとも有する”として解釈されるべきであり、“含む”という用語は“限定されないが、含む”として解釈されるべきである）として意図されることが、当業者により理解されるであろう。さらに、導入された請求項の記載の特定の数が意図される場合、そのような意図は請求項において明示的に切りされ、そのような記載がない場合、そのような意図はないことが、当業者によって理解されるであろう。例えば、理解の支援として、以下の添付された請求項は、請求項の記載を導入するため、導入フレーズ“少なくとも１つ”及び“１つ以上”の利用を含みうる。しかしながら、そのようなフレーズの使用は、不定冠詞“ａ”又は“ａｎ”による請求項の記載の導入が、同一の請求項が“ａ”又は“ａｎ”（例えば、“ａ”及び／又は“ａｎ”は“少なくとも１つ”又は“１つ以上”を意味すると解釈されるべきである）などの不定冠詞と“１つ以上”又は“少なくとも１つ”の導入フレーズを含むときでさえ、そのような導入された請求項の記載を含む何れか特定の請求項をそのような１つの記載しか含まない実施例に限定することを意味すると解釈されるべきでなく、同じことが請求項の記載を導入するのに用いられる定冠詞の使用について成り立つ。さらに、導入された請求項の記載の特定の数が明示的に記載されたとしても、当業者は、そのような記載が記載された数（例えば、他の修飾語なしの“２つの記載”のそのままの記載は、少なくとも２つの記載又は２つ以上の記載を意味する）を少なくとも意味すると解釈されるべきであることを認識するであろう。さらに、“Ａ、Ｂ及びＣの少なくとも１つ”に類似した用語が用いられるこれらの例では、一般に、当業者が当該用語（例えば、“Ａ、Ｂ及びＣの少なくとも１つを有するシステムは、限定することなく、Ａ単独、Ｂ単独、Ｃ単独、Ａ及びＢ一緒、Ａ及びＣ一緒、Ｂ及びＣ一緒及び／又はＡ、Ｂ及びＣ一緒を有するシステムを含む”）を理解する点で、そのような用語は意図される。“Ａ、Ｂ又はＣの少なくとも１つ”に類似した用語が用いられるこれらの例では、一般に、当業者が当該用語（例えば、“Ａ、Ｂ又はＣの少なくとも１つを有するシステムは、限定することなく、Ａ単独、Ｂ単独、Ｃ単独、Ａ及びＢ一緒、Ａ及びＣ一緒、Ｂ及びＣ一緒及び／又はＡ、Ｂ及びＣ一緒を有するシステムを含む”）を理解する点で、そのような用語は意図される。さらに、２つ以上の代替的な用語を提示する実質的に何れかの接続し及び／又はフレーズは、説明、請求項又は図面にかかわらず、用語の１つ、用語の何れか又は双方の用語を含む可能性を想定していると解釈されるべきであることは、当業者に理解されるであろう。例えば、“Ａ又はＢ”というフレーズは、“Ａ”、“Ｂ”又は“Ａ及びＢ”の可能性を含むと理解されるであろう。
【０１０９】
さらに、開示の特徴又は態様がマーカッシュ形式で記述される場合、当業者は、開示がマーカッシュグループの何れか個々のメンバ又はメンバのグループに関して説明されていることを認識するであろう。
【０１１０】
当業者によって理解されるように、記載された説明を提供することに関するなどの何れか及び全ての目的のため、ここに開示された全ての範囲はまた何れか及び全ての可能なサブ範囲及びこれらサブ範囲の組み合わせを含む。何れか列記された範囲は、同一の範囲が少なくとも等しい１／２、１／３、１／４、１／５、１／１０などに分割されることを十分に説明及び可能にすると容易に認識できる。非限定的な例として、ここに説明された各範囲は、下位１／３、真ん中の１／３及び上位１／３などに容易に分割できる。当業者により理解されるように、“まで”、“少なくとも”などの全ての用語は、記載された数を含み、上述されたようなサブ範囲に以降に分割できる範囲を参照する。最後に、当業者に理解されるように、範囲は個々の各メンバを含む。従って、例えば、１〜３個のセルを有するグループは、１、２又は３個のセルを有するグループを参照する。同様に、１〜５個のセルを有するグループは、１，２，３，４又は５個のセルを有するグループを参照するなどである。
【０１１１】
上記から、開示された主題の各種実施例が説明のためにここに説明され、本開示の範囲及び精神から逸脱することなく各種修正がなされてもよいことが留意される。従って、ここに説明される各種実施例は、添付した請求項によって示される真の範囲及び精神によって限定的であると意図されない。
【０１１２】
さらに、“例”及び“非限定的”という用語は、例、インスタンス又は図示として役立つことを意味するためここに用いられる。疑いを避けるため、ここに開示された主題は、そのような例によって限定されない。さらに、“例”、“図示”及び／又は“非限定的”としてここに説明された何れかの態様又は設計は、他の態様又は設計に対して好ましい又は効果的であるとして解釈される必要はなく、また、当業者に既知の等価な一例となる構成及び技術を排除することを意味しない。さらに、“含む”、“有する”、“内蔵する”及び他の同様の単語が詳細な説明又は請求項において用いられる程度まで、疑いを避けるため、そのような用語は、上述したように、何れかの追加的又は他の要素を排除することなく、オープン遷移語としての“有する”という用語と同様に内包的であることが意図される。
【０１１３】
上述されたように、ここに説明される各種技術は、ハードウェア、ソフトウェア又は適切である場合には双方の組み合わせに関して実現可能である。ここで用いられる“コンポーネント”、“システム”などの用語は、同様に、コンピュータ関連エンティティ、ハードウェア、ハードウェアとソフトウェアとの組み合わせ、ソフトウェア又は実行中のソフトウェアを参照することが意図される。例えば、コンポーネントは、限定されることなく、プロセッサ上で実行されるプロセス、プロセッサ、オブジェクト、実行可能、実行スレッド、プログラム及び／又はコンピュータとすることができる。例えば、コンピュータ上で実行されるアプリケーションとコンピュータとの双方がコンポーネントとすることができる。さらに、１つ以上のコンポーネントは、プロセス及び／又は実行スレッド内に配置可能であり、コンポーネントは１つのコンピュータにローカライズされ、及び／又は２つ以上のコンピュータの間に分散できる。
【０１１４】
ここに説明されるシステムは、複数のコンポーネントの間のインタラクションに関して説明できる。そのようなシステム及びコンポーネントは、これらのコンポーネント若しくは指定されたサブコンポーネント、指定されたコンポーネント又はサブコンポーネントの一部若しくはこれらの一部、及び／又は追加的なコンポーネント、上記の各種置換及び組み合わせを含みうることが理解できる。サブコンポーネントはまた、ペアレントコンポーネント（階層的）内に含まれるのでなく、他のコンポーネントに通信結合されるコンポーネントとして実現可能である。さらに、１つ以上のコンポーネントは集約的な機能を提供する単一のコンポーネントに組み合わせ可能であるか、あるいは、複数の別々のサブコンポーネントに分割可能であり、マネージメントレイヤなどの何れか１つ以上の中間コンポーネントレイヤが、上述されたような統合された機能を提供するためにサブコンポーネントに通信結合するため備えることができることが留意されるべきである。ここに説明される何れかのコンポーネントはまた、ここに具体的には説明されていないが、当業者に一般に知られる１つ以上の他のコンポーネントとやりとりできる。
【０１１５】
上述されたように、ここに説明される一例となるシステムに関して、説明される主題に従って実現可能な方法は、各種図面のフローチャートを参照してより良好に理解できる。説明の簡単化のため、方法はブロックの系列として図示及び説明できるが、請求される主題は、一部のブロックが図示及び説明されたものと異なる順序で及び／又は他のブロックと同時に実行可能であるとき、ブロックの順序によって限定されないことが理解及び認識されるべきである。非逐次的又は分岐したフローがフローチャートを介し示される場合、同一又は類似の結果を実現するブロックの様々な他の分岐、フローパス及び順序が実現可能であることが理解できる。さらに、必ずしも全ての図示されたブロックが、以降に説明される方法を実現するのに必要とされない可能性がある。
【０１１６】
開示された主題は開示された実施例及び各種図面に関して説明されたが、他の同様の実施例が利用されてもよいし、あるいは、逸脱することなく開示された主題の同一の機能を実行するための修正及び追加が説明された実施例に対して行いうることが理解されるべきである。さらに、複数の処理チップ又は複数のデバイスは、ここに説明された１つ以上の機能の実行を共有可能であり、同様に、複数のデバイスにわたる格納が実行可能である。他の例では、プロセスパラメータ（例えば、コンフィギュレーション、コンポーネント数、コンポーネントの集約、プロセスステップタイミング及び順序、プロセスステップの追加及び／又は削除、前処理及び／又は後処理ステップの追加）の変形が、ここに図示及び説明されるような提供された構成、デバイス及び方法を更に最適化するために行うことができる。何れかのイベントにおいて、ここに説明される関連する方法と共に、システム、構成及び／又はデバイスは、開示された主題の各種態様に多くのアプリケーションを有する。従って、主題は、何れか単一の実施例に限定されるべきでなく、添付した請求項に従って幅、精神及び範囲において解釈されるべきである。
【図１】
2018011295.tif 000003
【図２】
2018011295.tif 000004
【図３】
2018011295.tif 000005
【図４】
2018011295.tif 000006
【図５】
2018011295.tif 000007
【図６】
2018011295.tif 000008
【図７】
2018011295.tif 000009
【図８】
2018011295.tif 000010
【図９】
2018011295.tif 000011
【図１０】
2018011295.tif 000012
【図１１（ａ）】
2018011295.tif 000013
【図１１（ｂ）】
2018011295.tif 000014
【図１２】
2018011295.tif 000015
【図１３】
2018011295.tif 000016
【図１４】
2018011295.tif 000017
【図１５】
2018011295.tif 000018
【図１６】
2018011295.tif 000019
【図１７】
2018011295.tif 000020
【図１８】
2018011295.tif 000021
【図１９】
2018011295.tif 000022
【図２０】
2018011295.tif 000023
【外国語明細書】
2018011295000001.pdf